(57)【要約】  粒状又は粉末状の材料を保持するための容器（２１０）は、上壁（２１２）、底壁（２１４）、前壁（２１６）、後壁（２１８）、第１の側壁（２２０）、及び、第２の側壁（２２２）によって形成されている。回転可能で着脱自在な蓋（０）は、掬い匙（３２）を有して内部に取り付けられており、密封ガスケット（３３０）を含むカラー（３００）に回動可能にヒンジで留められている。カラー（３００）は、容器（２１０）の壁に取り付いている。蓋（０）の密封壁（２４０）は、内容物がこぼれることを防止するようにガスケット（３００）と協働する。容器（２１０）は、粉末制御機構と、内容物へのアクセスを便利にする好ましい幾何形状で掬い匙（３２）と合致している容器壁接点（５０）と、公差変動に適合して強度を改善するＪ字状のカラー（３００）と、かみ合い窪み（２９０）と、屈曲クリップ（３１０）とを組み込む。
2010514638.tif 000002
【特許請求の範囲】
【請求項１】
内面及び外面と内部空間とを画定する壁であって、内部空間に対する開口を画定する内端縁を有する密封フランジを画定する壁の上端部の近くに上側部分を有する壁と、
上側部分の近くの容器周囲に嵌合するように構成された内面を有するカラーであって、容器の外面とカラーの内面との間に副カラー空間を画定するカラーと、
カラーに取り付けられ、閉塞位置の場合に開口を被覆して密封するように構成された内面を有する取り外し可能な蓋と、
密封フランジに対して着脱自在に配置されるように寸法取りされ、（ａ）カラーの内面、（ｂ）壁の内面、及び、（ｃ）蓋の密封壁を含む群の表面から担持された柔軟性のあるガスケットとを備え、
蓋が、その表面に従属して密封フランジの方に突出しており且つ閉塞位置の場合に密封フランジの内側に残るように寸法取りされた密封壁を有し、
蓋が閉塞位置にある場合に、密封壁が密封フランジの内端縁に対して柔軟性のあるガスケットを付勢して容器内部から副カラー空間を密封するように、ガスケット、密封壁、及び、密封フランジが寸法取りされている、密封可能な容器。
【請求項２】
カラーがガスケットを担持する隆起した台座を含み、したがって密封フランジの内端縁に対して付勢して内端縁を越えて延在するように内側に突出している、請求項１に記載の密封可能な容器。
【請求項３】
蓋が開封位置にある場合にガスケットが密封フランジに対して付勢されたままとするように配置されている、請求項１に記載の密封可能な容器。
【請求項４】
ガスケットが、カラーの内面に取り付いて内面に従属しており、密封フランジの内端縁を越えて内側に延在している内端縁を有する、請求項１に記載の密封可能な容器。
【請求項５】
さらに、開口を横切って延在し且つ柔軟性のあるガスケットの下方において密封フランジに取り付いている取り外し可能なシールを備え、
柔軟性のあるガスケットが、取り外し可能なシールを取り外すことを可能とするように屈曲し、その後に、密封フランジに寄りかかるように元に屈曲する、請求項２に記載の密封可能な容器。
【請求項６】
壁が、容器を形成して略立方形の形状を有するように配置されている、請求項１に記載の密封可能な容器。
【請求項７】
さらに、取っ手から担持されたボウルを有する取り外し可能な掬い匙を保持するための、蓋の内面に取り付けられた掬い匙ホルダーを備え、掬い匙ホルダーが、第１のボウルカバーブラケットを有して形成され、取っ手を固定する固定具と、握り位置において内面から離れて取っ手を保持する取っ手保持切り込みを有する内面から延在している第１の突起とを有する、請求項１に記載の密封可能な容器。
【請求項８】
壁の上端部が、ブリッジを強化することによって間隔をあけて配置された上側取っ手出っ張りを有する係合凹部を有して形成されており、カラーが、略Ｊ字状の横断面を有し、且つ、カラーが壁の上端部に組み立てられた場合に上側取っ手出っ張りを係合するように並置された保持具の面を有する間隔をあけて配置された複数の屈曲クリップを担持するように形成されている、請求項１に記載の密封可能な容器。
【請求項９】
内面及び外面と内部空間とを画定する壁であって、内部空間に対する開口を画定する内端縁を有する密封フランジを画定する壁の上端部の近くに上側部分を有する壁と、
上側部分の近くの容器周囲に嵌合するように構成された内面を有するカラーであって、容器の外面とカラーの内面との間に副カラー空間を画定するカラーと、
カラー上に担持され、閉塞位置の場合に開口を被覆して密封するように構成された内面を有する取り外し可能な蓋とを備え、
蓋が、その表面に従属して密封フランジの方に突出しており且つ閉塞位置の場合に密封フランジの内側に残るように寸法取りされた密封壁を有しており、密封壁が内側に集まる下端縁を有し、
蓋が閉塞位置にある場合に、密封壁が、密封フランジの内端縁に接触し、容器内部から副カラー空間を密封するように密封フランジの内端縁の下方に突出した内側に集まる下端縁を有するように、密封壁及び密封フランジが寸法取りされている、密封可能な容器。
【請求項１０】
さらに、密封フランジに対して着脱自在に配置されるように寸法取りされ、（ａ）カラーの内面、（ｂ）壁の内面、及び、（ｃ）蓋の密封壁を含む群の表面から担持された柔軟性のあるガスケットを備え、
蓋が閉塞位置にある場合に、密封壁が密封フランジの内端縁に対して柔軟性のあるガスケットを付勢して容器内部から副カラー空間を密封するように、ガスケット、密封壁、及び、密封フランジが寸法取りされている、請求項９に記載の密封可能な容器。
【請求項１１】
カラーがガスケットを担持する隆起した台座を含み、したがって密封フランジの内端縁を越えて延在するように内側に突出している、請求項１０に記載の密封可能な容器。
【請求項１２】
ガスケットがカラーの内面に取り付いて従属しており、蓋が開封位置にある場合にガスケットが密封フランジに対して付勢されたままとするように配置されている、請求項１０に記載の密封可能な容器。
【請求項１３】
さらに、開口を横切って延在し且つ柔軟性のあるガスケットの下方において密封フランジに取り付いている取り外し可能なシールを備え、
柔軟性のあるガスケットが、取り外し可能なシールを取り外すことを可能とするように屈曲し、その後に、密封フランジに寄りかかるように元に屈曲する、請求項１０に記載の密封可能な容器。
【請求項１４】
内面及び外面と内部空間とを画定する壁であって、内部空間に対する開口を画定する内端縁を有する密封フランジを画定する壁の上端部の近くに上側部分を有する壁と、
上側部分の近くの容器周囲に嵌合するように構成された内面を有するカラーであって、容器の外面とカラーの内面との間に副カラー空間を画定し、内側且つ密封フランジに対して付勢される方向に突出する一体的なガスケットを有するカラーと、
カラーまわりに回動可能であり、閉塞位置の場合に開口を被覆して密封するように構成された内面を有する取り外し可能な蓋とを備え、
蓋が、その表面に従属して密封フランジの方に突出しており且つ閉塞位置の場合に密封フランジの内側に残るように寸法取りされた密封壁を有し、
蓋が閉塞位置にある場合に、密封壁が密封フランジの内端縁に対して一体的なガスケットを付勢して容器内部から副カラー空間を密封するように、ガスケット、密封壁、及び、密封フランジが寸法取りされている、密封可能な容器。
【請求項１５】
一体的なガスケットが密封フランジの内端縁を越えて内側に延在している、請求項１４に記載の密封可能な容器。
【請求項１６】
さらに、開口を横切って延在し且つ一体的なガスケットの下方において密封フランジに取り付いている取り外し可能なシールを備え、
一体的なガスケットが、取り外し可能なシールを取り外すことを可能とするように屈曲し、その後に、密封フランジに対する付勢位置に戻る、請求項１４に記載の密封可能な容器。
【請求項１７】
密封壁が下端縁に向かって内側に集まっている、請求項１４に記載の密封可能な容器。
【請求項１８】
密封壁が、（ａ）下端縁に向かって内側に湾曲、（ｂ）下端縁に向かって内側に傾斜、（ｃ）下端縁に向かって内側に湾曲して傾斜を含む群から選択される幾何形状を有する下端縁に向かって内側に集まっている、請求項１７に記載の密封可能な容器。
【請求項１９】
内面及び外面と内部空間とを画定する壁であって、内部空間に対する開口を画定する内端縁を有する密封フランジを画定する壁の上端部の近くに上側部分を有する壁と、
上側部分の近くの容器周囲に嵌合するように構成された内面を有するカラーであって、容器の外面とカラーの内面との間に副カラー空間を画定するカラーと、
閉塞位置の場合に開口を被覆して密封するように構成された内面を有するカラーに搭載された取り外し可能な蓋とを備え、
蓋が、その表面に従属して密封フランジの方に突出しており且つ閉塞位置の場合に密封フランジの内側に残るように寸法取りされた密封壁を有し、さらに、密封壁よりも小さい寸法の略ドーム状の中央部分を有し、ドーム状の中央部分が、ドーム状の中央部分から下方に密封壁に近接する内面まで先細りしている角をなす壁によって蓋に接合されており、
内容物を有する向きが乱れた容器を元に戻すときに、角をなす壁及び密封壁が、容器の内部空間内に下方に蓋の内面に接触して固められた内容物を導いて副カラー空間内に侵入することを略防止するように協働する、密封可能な容器。
【請求項２０】
密封壁が、（ａ）下端縁に向かって内側に湾曲、（ｂ）下端縁に向かって内側に傾斜、（ｃ）下端縁に向かって内側に湾曲して傾斜を含む群から選択される幾何形状を有する下端縁に向かって内側に集まっている、請求項１９に記載の密封可能な容器。
【請求項２１】
さらに、蓋の内面から突出し且つ略ドーム状の中央部分内に近接して配置されている掬い匙ホルダーと、ボウルから延在し且つ掬い匙ホルダー内に着脱自在に保持されるように構成された取っ手を有する掬い匙とを備え、掬い匙ホルダーが、カバー及び拘束具を有するブラケットを有し、
掬い匙が掬い匙ホルダー内に保持されている場合に、移動を防止するように拘束具が取っ手を捕捉し、内容物がボウルに侵入することを防止するようにカバーがボウルを密封する、請求項１９に記載の密封可能な容器。
【請求項２２】
内面及び外面と内部空間とを画定する壁であって、且つ内部空間に対する開口を画定する壁の上端部の近くに上側部分を有しており、特定の横断面幾何形状を有する接点を画定するように互いに接合しており且つ底面を接合している壁を有する容器と、
ヒンジ式にカラーに取り付けられ、且つ閉塞位置の場合に開口を被覆して密封するように構成された内面を有する、取り外し可能な蓋と、
容器の内部空間から内容物を取り除くための掬い匙とを備え、
掬い匙が、壁間及び容器の壁と底面との間における接点の特定の横断面幾何形状に略合致するリムを有するボウルを含む、密封可能な容器及び掬い匙システム。
【請求項２３】
壁間及び壁と底面との間における接点の特定の横断面幾何形状が、半径を有する円形部分を略形成しており、ボウルのリムが、半径に略等しい円形断面を有する部分を含む、請求項２２に記載の密封可能な容器及び掬い匙システム。
【請求項２４】
内面及び外面と内部空間とを画定する壁であって、内部空間に対する開口を画定する壁の上端部の近くに上側部分を有する壁と、
内面を有するカラーであって、該内面が容器の外面とカラーの内面との間に副カラー空間を画定するように上側部分まわりの容器周囲に嵌合するように構成されているカラーとを備え、
上側部分が、壁の外面上に、内部に突出して外部に開口しており下側に面する上面を有する複数の窪みも画定し、
カラーが、さらに、複数の窪みと対応するように並置された複数の取り付け手段を含み、各取り付け手段が、複数の窪みの下側に面する上面に対して係合するための上側に面する表面を有し、これにより、容器の上端部にカラーを保持する、密封可能な容器。
【請求項２５】
前記複数の窪みが、容器の反対側の壁において連続的な溝を含む、請求項２４に記載の密封可能な容器。
【請求項２６】
前記複数の窪みが、不連続であり、容器の壁のブリッジによって分離されている、請求項２４に記載の密封可能な容器。
【請求項２７】
前記取り付け手段が、（ａ）カラーの内面から内側に突出する柔軟性のあるフィンであり、複数の窪みの下側に面する上面に対して係合するための上側に面する表面を形成する上端縁を有するフィン、及び、（ｂ）副カラー空間内に下側に従属し且つ複数の窪みの下側に面する上面に対して係合するための上側に面する表面を有して形成された、間隔をあけて配置された屈曲クリップを含む群から選択される、請求項２４に記載の密封可能な容器。
【請求項２８】
壁が、さらに、略立方形の形状を有するように容器を画定しており、複数の窪み及び複数の間隔をあけて配置された屈曲クリップが、さらに、カラーが上側部分に嵌合された場合に密封可能な容器の剛性及び構造上の安定性を高めるように、対間において連結する力を形成するために反対側の面する壁にわたって対となるように配置されている、請求項２７に記載の密封可能な容器。
【請求項２９】
内面及び外面と内部空間とを画定する壁であって、内部空間に対する開口を画定する壁の上端部の近くに上側部分を有し、底面を接合する壁と、
閉塞位置の場合に開口を被覆して密封するように構成された内面を有する取り外し可能な蓋とを備え、
底面が、表面に置くための外側の平面部と、蹴上げ及び踏み部を有する複数のステップにおいて内部空間の方に向けられた中央隆起補強部とを備え、蹴上げ部が、外側の平面部に対して略上側方向に突出しており、踏み部が、外側の平面部に略平行である、密封可能な容器。
【請求項３０】
さらに、上側部分に添着されて内部空間を密封する取り外し可能なシールを備え、容器が閉塞されて第１の圧力で密封された後に、複数のステップのうちの少なくとも１つが、外側の平面部を越えて延在することなく外側の平面部の方に潰れることによって等しくない圧力を補償するのにともない、容器に対する外部の圧力が第１の圧力未満に低減された場合にシールの破裂が防止される、請求項２９に記載の密封可能な容器。
【請求項３１】
容器が閉塞されて１つの圧力で密封された後に、底壁の膨張が、容器に対する外部の圧力が１つの圧力よりも低い場合に、圧力差に抵抗する厚みを有して寸法決めされた複数のステップのうちの少なくとも１つによって防止される、請求項２９に記載の密封可能な容器。
【請求項３２】
複数のステップの蹴上げ及び踏み部のうちの少なくとも１つが、圧力差に応答する柔軟性を形成するベローズ構成を有するように形成されている、請求項２９に記載の密封可能な容器。
【発明の詳細な説明】
【技術分野】
【０００１】
関連出願の優先権の主張
本出願は、共同所有されて同時係属している２００６年１２月２７日に出願された米国特許出願第１１／６４５，８８７号及び２００７年１２月１８日に出願された米国特許出願第６１／０１４，５９５号のより早い出願日の利益を主張する。これらの出願は、双方とも、本出願に完全に記載されているかのように、それらの全体を参照することによって本明細書に組み込まれる。
【０００２】
本発明は、包装の分野、特に、例えば粉末等の粒状製品についての包装の分野に関する。
【背景技術】
【０００３】
現在、限定される例ではないが、特殊調製粉乳、小麦粉、コーヒー、砂糖等の粒状又は粉末状の製品は、容器内に包装されている。そのような内容物の測定された分配のために、掬い匙が包装内に設けられている。そのような容器の消費者又はユーザは、現在の包装が片手で取り扱うのが困難であるということに気付いており、最初の使用時にこぼすことなく容器を開封し且つ包装から掬い匙を見つけ出して取り出すのが困難であるということに気付いている。容器の蓋が取り除かれ及び／又は開封されると、内容物は、大抵は容器の蓋の内部又は上面の一部に緩くこびりつき、又は固まり、内容物が蓋又は上面から落ちるのにともない漏出することになる。落ちた粉末の一部が容器の内部に戻る場合、粉末が周囲の作業空間に漏出するのにともない、粉末の多くが無駄になり汚染される。さらに、従来の容器は、容器が最初に開封された後には内容物の適切な密封を提供しない。これは、容器の様々な不十分に密封された領域からの望ましくない不注意な内容物の漏出をもたらす。
【０００４】
ユーザが容器から製品の一部を取り出すことを望む場合には、ユーザは、掬い匙を見つけるために、最初に指を用いて容器の内部を探しまわらなければならない。この探索して見つけ出すプロセスは、内容物を汚染してユーザの手を汚し、粉末でコーティングされた指や手が容器の内部から取り除かれるのにともない、より不要な漏出をもたらす可能性がある。掬い匙は、見つけられると、使用され得るように引き出され、また、内容物によってコーティングされる。１杯の掬い匙にはまた、内容物が固まり又はこびりつく。粉末のコーティング及び固められた１杯の粉末が取り出しプロセス中に緩んだとき、コーティングが手、指、及び、掬い匙から落ちるのにともない、また、１杯に固められた任意の粉末が緩んで落ちるのにともない、より多くの内容物が汚染されて無駄になる。
【０００５】
さらなる問題は、場合により内壁又は外壁に接触してより便利な位置に配置された掬い匙によって経験されている。これらのさらなる問題は、壁に接触した接着剤によって、及び／又は、掬い匙と掬い匙を握るための容器の周囲構造物との間にごく僅かな間隔しか残さない機械的な固定具又は締め具によって、堅く固定されることがある掬い匙を握ることにおける困難性を含む。これらの望ましくない構成は、一般に掬い匙を取り出し握るための複数の空いている手を必要とする。
【０００６】
掬い匙が見つけ出されてユーザによって握られると、掬い匙は、所望の量の製品を取り出して分配するために使用され得る。一般に、掬い匙は、その後、容器内に戻され、蓋は、容器を閉塞するように元の位置に戻される。次に製品が容器から取り出されるとき、埋め込まれて粉末でコーティングされた掬い匙を探索するプロセスが繰り返される。米国特許第５，７０６，９７４号明細書は、粒状又は粉末状の製品の外部における掬い匙の格納の問題を論じている。
【０００７】
ユーザはまた、容器の形状が、掬い匙にとってアクセスすることができず且つ掬い匙の形状とは異なる形状を有する他の領域を有するきつくて閉塞した空間を含むことから、ほとんど空の容器から最後の少量の粉末を取り出すのは困難であるということに気付いている。その結果、ユーザは、完全に内容物を空にするために容器を逆さにすることに頼らなければならず、それは、内容物をこぼして無駄にするという他の事例を生み出す。
【０００８】
そのような容器の製造業者はまた、様々なタイプの任意に好ましくは熱成形及びポリマー製造プロセス及び材料を使用した場合に、容器を製造することにおける多くの挑戦を経験している。そのような容器を製造するための多くの従来技術における試みにおいて、様々な熱成形プロセスが使用されている。関連技術における当業者は、熱成形された高分子材料を使用した様々なタイプの包装容器を製造する際の困難性について長年知っている。
【０００９】
そのような材料は、許容範囲にある寸法公差の制限を超えて変動する可能性がある、製造された製品部品を不利に且つ予想外にもたらす、多くの変化するものの影響を受けやすく、欠陥のある容器及びそのような容器の部品を廃棄する必要性と、代替品を製造する必要性とをもたらす。また、高分子材料は、予想外の収縮及び反りに起因して誤形状の部品外形を与えるとともに、廃棄される予定である容器及びその容器の部品について全体の生産工程を残す他の熱成形異形を与える可能性がある。
【００１０】
これらのタイプの製造の問題は、特に、上面又は蓋及びカラーアセンブリが容器の底部に固定されるような複数の部品を組み込むアセンブリから形成された容器において述べられる。そのような部品を組み立てる際の問題は、部品の一方又は双方が公差の範囲外になったり又は誤形状とされたりする場合に生じる可能性がある。不適切に寸法取りされた又は誤形状とされた部品を組み立てることが可能である場合であっても、大部分のポリマー容器構成は、そのような異形を克服し、より様々な環境における使用に対してより耐久性があるような容器を与えるように、改善された強度及び剛性特性を長年必要としている。
【００１１】
さらに他のユーザは、容器の密封された内部空間と外部の周囲大気との間における著しい圧力差を生み出すために、容器に対する外部からの周囲気圧が大幅に変動する状況における使用についての不十分な従来技術の容器に関する問題を経験している。この状況は、海面レベルの高度又はその近くの高度に位置する工場において、詰められて密封された容器を製造業者が製造する状況において最も明らかである。
【００１２】
そのような海面レベルの圧力容器がより高い高度又は標高に位置する消費者に出荷される場合には、容器包装は、より高い内部圧力を有し、著しい可能性がある圧力差を生み出す。圧力差が十分に大きい場合には、容器は、積み上げて格納するのを困難とするように膨張することがあり、破損を経験することさえあり、汚染されて浪費される製品をもたらす。より高い高度において詰められて密封された容器が、より低い高度のユーザに出荷される場合には、反対の状況が起こり得る。開封時に、外気が容器の内部空間に急速に入り込み、内容物を汚染する可能性がある。
【００１３】
圧力差を有する容器が開封された場合には、内容物は、粉末状又は他のタイプの製品内容物の大群を排出する非常に急速な均圧に起因して、再度漏出することがある。これらの欠点を克服する試みは、より厚い壁のある容器を含んでおり、より高いフープストレス強度を有することができるが棚に積み上げて格納するのに効率的でなく便利でない円形状及び円筒状の容器と同様に、重量及び材料コストを増加させる。
【００１４】
当技術分野において長年必要とされていたものは、最も重要なことに、そのような容器に含まれる製品の汚染、漏出、及び、無駄を防止する及び／又は最小化する新規で革新的な方法を提供する、従来技術の容器を包囲する多くの問題に対処する容器である。容器は、容器を逆さにする必要なしで、ほとんど空の容器内の最後の少量の粉末に対してより良好にアクセスすることができるものが求められている。粉末を分配するための掬い匙にとってより便利なアクセスを可能とする容器を作り出すこともまた有利である。片手によって容易に操作され得、開封及び分配のために他方の手を自由なままとすることができる容器包装が、特に様々な用途について必要とされる。取り扱いや握ることが容易であり、多量を運ぶのが容易であり、棚に積み上げて格納するのが容易である容器もまた、長い間必要とされている。
【００１５】
多くの試みは、許容範囲にある寸法公差の範囲を拡大することができ、予想外の誤形状の容器部品の外形に適応することができ且つより容易に適合することができる、改善された剛性及び強度特性を組み込んだより耐久性がある容器を作り出すこととは、なお程遠い。当技術分野は、容器の妥協なしで圧力差により良好に耐えることができ、圧力差の影響を受けながら容器が開封された場合に急速に放出された製品の大群に起因して、漏出及び浪費される製品の不都合を最小化することができる容器についての必要性を有し続ける。
【先行技術文献】
【特許文献】
【００１６】
【特許文献１】米国特許第５，７０６，９７４号明細書
【発明の概要】
【発明が解決しようとする課題】
【００１７】
従来技術の多くの問題は、改善された密封能力と、粉末状の内容物の漏出を制御する新規な方法と、新規な一体型の分配掬い匙と、密封された製品容器と外部環境との間における逆圧力差に起因する漏出及び製品に対する損傷に対して保護することができる強化された容器とを含む以前は利用不可能であった機構を可能とする、本発明の革新的な密封可能な容器を用いて対処される。本発明の１つの好ましい構成において、密封可能な容器は、内面及び外面及び内部空間を画定する壁を含む。壁は、好ましくは、容器の内部空間に開口を画定する内端縁を含む密封フランジを画定する壁の上端部の近くに上側部分を有することができる。密封可能な容器はまた、容器の外面とカラーの内面との間において副カラー空間をともに画定する、上側部分の近くの容器周囲に嵌合する内面を有するカラーを組み込んでいる。
【課題を解決するための手段】
【００１８】
好ましい密封可能な容器はまた、回動可能に又はヒンジ式にカラーに取り付けられ、且つ蓋が閉塞位置にある場合に容器の内部空間の開口を被覆して密封する内面を有する、取り外し可能な蓋を含む。蓋は、好ましくは、蓋の表面に従属してカラーの密封フランジの方に突出し、且つ蓋が閉塞された場合に密封フランジの中で内部に残るように寸法取り又は寸法決めされた密封壁を有する。本発明の任意の実施形態の変形例において、蓋の密封壁は、意図された一体的な又は柔軟性のあるガスケットの代わりに単独で使用され得、また、それと組み合わせて使用されてもよい。
【００１９】
さらにより好ましくは、容器は、ある任意に好ましい実施形態において、好ましくは密封フランジに対して着脱自在に配置されるように寸法取りされて構成される、カラーから担持された一体的に形成されたガスケット及び／又は別個に形成された柔軟性のあるガスケットのいずれかを含む。ガスケットは、カラーの内面、壁の内面、又は、蓋の密封壁やその組み合わせ等、容器の表面から担持され得、複数のガスケットが使用のために好ましい。蓋が閉塞位置にある場合には、密封壁が容器内部から副カラー空間を密封するために密封フランジの内端縁に対して柔軟性のあるガスケットを付勢するように、ガスケット、密封壁、及び密封フランジは配置されて寸法取りされ、容器の内容物が副カラー空間に漏出するのを防止する。
【００２０】
これらの実施形態の変形例において、密封可能な容器はまた、隆起した台座を含む変更されたカラー又はガスケットを担持するもしくはガスケットが添着される同様の機構を組み込んでもよい。本発明の他のバージョンと同様に、隆起した台座は、そのガスケットが密封フランジの内端縁に対して付勢するように且つ内端縁を越えて延在するように内側に突出するように構成され、また、容器の内容物の漏出を制御する役目を果たす。より好ましくは、ガスケットは、蓋が開封位置にある場合に密封フランジに対して付勢されたままとなるように配置され得る。
【００２１】
本発明のさらに好ましい任意の実施形態において、密封可能な容器はまた、必要に応じて、空気、水、及び、光に対してさえも略不浸透性である取り外し可能なシールを含むことができる。不浸透性シールは、好ましくは、内部空間を密封するように開口にわたって延在しており、密封フランジに取り付ける。柔軟性のあるガスケットが含まれる変形例において、不浸透性シールは、好ましくは、ガスケットの下に配置され、柔軟性のあるガスケットは、取り外し可能なシールの取り外しを可能とするように曲がり、その後、密封フランジに対して支えられるように元に曲がる。
【００２２】
創作性のある容器の大部分の実施形態において、蓋は、蓋が開封位置と閉塞位置との間において移動することができるように、回転可能に、ヒンジ式に、及び／又は、回動可能に、蓋とカラーとの間に搭載された一体又は機械的ヒンジによって容器に接続されている。ある本発明の好ましい構成において、新規な密封可能な容器が配置されており、その壁が、略立方形の形状を有するように容器を形成している。しかしながら、本発明は、円筒状、直線状、オブロイド（ｏｂｌｏｉｄ）状、及び、多くの他のタイプの容器包装における使用、並びに、粉末状及び粒状材料とともに流体を含む全ての種類の詰められた物質に関する使用に影響を受けやすい。
【００２３】
本発明の実施形態のいくつかの変更例はまた、取り外し可能な掬い匙と、掬い匙を保持するために蓋の内面に取り付けられ得る掬い匙ホルダーとを含むことを意図している。最も一般的な掬い匙は、取っ手から担持されたボウルを有する。本発明の掬い匙ホルダーには、第１のボウルカバーブラケットが形成されており、取っ手を固定する固定具を有する。第１の突起はまた、蓋の内面から延在し、且つ、掬い匙ホルダーから掬い匙を握って取り外すのがユーザにとって容易なように、握り位置において内面から間隔をあけて取っ手を保持する取っ手保持切り込みを有するように含まれる。
【００２４】
創作性のある密封可能な容器の任意の実施形態のさらなる他の変形例において、蓋の密封壁は、さらに、湾曲して内側に向けられた先細りしている密封壁の下端縁によって、もしくは、内側に傾斜した先細りしている密封壁の下端縁によって、又は、その組み合わせによって下端縁に向かって内側に集まるように変更され得る。
【００２５】
新規な密封可能な容器はまた、本発明の実施形態、変更例、及び、変形例のいずれかの用途に適合する、さらに変更された蓋構成を意図している。そのような蓋構成は、粉末状の内容物の制御を改善することに向けられ、改善は、好ましくは又は任意に、蓋の密封壁よりも小さく寸法取りされた略ドーム状の中央部分を有する蓋を含む。より好ましくは、略ドーム状の中央部分は、密封壁もしくは角をなす壁又はその双方によって蓋に接合されており、角をなす壁は、密封壁に近接する地点において、ドーム状の中央部分から蓋の内面に至るまで先細りしている。略ドーム状の中央部分の新規な機能及び利益は、角をなす壁及び密封壁が、蓋の内面内に堆積されることがあるいかなる粉末内容物も導くか、又は、容器の内部空間内に下って蓋の内面に接触して固められるように協働するという点で、向きが乱れた（ｄｉｓｏｒｉｅｎｔｅｄ）容器を元に戻す（ｒｉｇｈｔ）ことが明らかであり、容器の開封時に副カラー空間及び蓋から漏出する他の形態に移行するのを防止する。好ましくは、角をなす先細りした壁は、約１０°から７５°、より好ましくは、約２５°から４５°、さらにより好ましくは約３０°の垂直方向に対する角度を有することができる。
【００２６】
本発明の原理にかかる可能なドーム状の蓋構成の多くの変形例は意図され、限定されない例として、取り外し可能な蓋によって画定される全体領域よりも約２０パーセントから約８０パーセント小さい領域を画定するように密封壁まで延在している略ドーム状の中央部分を含むことができる。ドーム状の蓋のさらに他の変形例は、創作性のある実施形態のいずれかと使用され得、累積的な蓋の高さ寸法の約１０パーセントから約６０パーセントの高さ寸法で上側に突出するように略ドーム状の中央部分を含むことができる。１つの実施形態において、ドーム状の領域は、後述するように、掬い匙を格納するのに十分な体積を含むように寸法取りされる。
【００２７】
本明細書において上述したように及び他の場所に記載されたように、革新的な密封可能な容器の実施形態は、さらに、固有の及び／又は所定の又は特定の横断面幾何形状を有する接点を画定するように、互いに接合しており且つ容器の底面を接合している壁を有するように変更され得る。これらの本発明の任意の実施形態の変形例において、変更された掬い匙は、容器の内部空間から内容物を取り除くために組み込まれる。変更された掬い匙は、壁間及び壁と容器の底面との間の接点の特定の横断面幾何形状に略適合するリムを有するボウルを含む。
【００２８】
この構成は、不要な漏出をもたらす可能性がある容器を逆さにする必要性なしで、粉末であろうと流体であろうと、ユーザが容器の内容物の全てを便利に取り除くのを可能とする。これらの変形例は、限定されない例として、直角、複数の鈍角等の複数の角度、及び、特定の半径を有する円幾何形状を含む曲線幾何形状を含む多くの幾何形状の任意の１つを含むように、壁間及び壁と底面との間の接点の特定の横断面幾何形状を意図する。これらのそれぞれの幾何形状について、掬い匙ボウルのリムは、それぞれの幾何形状に略適合する及び／又は柔軟性のある及び／又はそれに対して適合させるように使用時に変形可能である部分を含む。
【００２９】
本発明の密封可能な容器はまた、補強又は安定化ブリッジによって間隔をあけて配置された複数の内側に突出した窪み又は凹部を外面に画定する上側部分を有する容器の壁を含むことができる機能を改善する多くの異なる強度及び剛性を含むことができる。窪みは、好ましくは、下側に面する上面又は上側取っ手出っ張りを含む。カラーはまた、固定具の面又は上側に面する表面で形成された、複数の間隔をあけて配置された屈曲クリップ又は係合取っ手を含むように変更される。屈曲クリップは、好ましくは、カラーが容器の貯蔵部の上側部分にわたって嵌合された場合に、副カラー空間内に下側に従属して（ｄｅｐｅｎｄ）複数の窪みと位置合わせするように配置又は並置されている。
【００３０】
この構成は、上側に面する表面が下側に面する上面に係合し、これにより、屈曲クリップが容器の上端部にカラーを保持するのを可能とする。屈曲クリップはまた、好ましくは、係合強度を最適化するように屈曲クリップの強度及び剛性を高める１つ以上の補強材を組み込むことができる。補強材はまた、カラーが容器の壁の上側部分に嵌合されるのにともない、屈曲クリップによって形成される位置合わせ能力を改善し、容器の上側部分まわりにカラーを効率的に心出しして位置合わせする役目を果たす。
【００３１】
さらに、屈曲クリップ及び窪み変更の好ましい変形例は、カラー及び容器が完全な嵌合のために求められ得るように正確に寸法決めされない場合であっても、カラー及び容器が寸法許容誤差を吸収することができ且つカラーが容器の上側部分の周囲に嵌合するのを可能とするように、窪みの下側に面する表面よりも小さく寸法取りされた上側に面する表面を含む。創作性のある密封可能な容器の様々な実施形態に対するさらに好ましい変更例は、略柔軟性のある材料から形成された少なくとも１つのカラー及び壁の上側部分を含む。
【００３２】
ポリプロピレン及び／又はポリエチレンのような高分子材料等の柔軟性のある材料を使用することは、少なくとも１つのカラー及び壁の上側部分が寸法許容誤差を吸収するために屈曲するのを可能とし、カラーが容器の上側部分の周囲に嵌合するのを可能とする。これらの革新的な適応のいずれかは、本発明の実施形態の変形例の全ての使用に適しており、その結果、予想外に又は望ましくなく奇形とされたカラー及び／又は貯蔵部と製造及び組み立て中に直面する場合であっても、カラーが壁の上側部分の周囲に嵌合するのを可能とするために、少なくとも１つのカラーと壁の上側部分との間における形状誤差及び不一致に適合することもできる。
【００３３】
本明細書において記述された本発明の様々な実施形態に対するさらに他の特に好ましい任意の変更例において、密封可能な容器は、逆さまの横断面において略Ｊ字状及び／又はＵ字状を有する変更されたカラーを使用する。この変形例において、Ｊ字状又はＵ字状の横断面は、上部分を強化する略丸い外側に突出した長い壁と、副カラー空間を画定するように協働する内側の短い壁とを含む。
【００３４】
本発明は、さらに任意に好ましい変形例を許容することができ、容器は、反対の位置に対関係で配置されるように、複数の窪み及び複数の間隔をあけて配置されたフィン又は屈曲クリップを組み込むことによって強化される。略立方形の容器の形状の利用において、反対側の対は、片側あたり２から６個のフィン又はクリップを一般に使用して、反対側の面する容器の壁全体に設けられる。しかしながら、対とされた力ベクトル連結は、それぞれの対間に設けられる。これは、カラーが上側部分に嵌合された場合に、剛性及び構造上の安定性及び密封可能な容器の強度を高め、いかなる公差不一致も吸収する傾向がある。さらに、この屈曲クリップ及び窪みの特定の構成は、カラーと壁の上側部分との間の位置合わせ能力を可能とし、創作性のある密封可能な容器の組み立て中に有用である。屈曲クリップは、さらに、１つ以上の屈曲クリップに少なくとも１つの強化リブを含むことによって強化され得る。
【００３５】
さらに他の意図された変更例は、容器の変形を防止することができ、且つ、外部の周囲大気圧よりも高い内部圧力に起因して制御された変形が容器上の応力を軽減することができるように構成されることもでき、且つ、密封された容器が、高度の変化に起因する圧力変化、及び／又は、製造、製品の充填中、使用及び輸送中に経験されることがある他のタイプの粉砕力を受ける場合に起こり得る、圧力制御機構を含む底面を含む、既に記載された全ての変更例、変形例、適応例の使用に適している。
【００３６】
この本発明の好ましい実施形態の適応例において、底面は、補強材の用語の単純な意味に反して中央隆起補強部とも称され、柔軟性のある及び／又は折り畳み式の圧力逃がし部を組み込むこともできる圧力制御部を含む。表面への載置のために略平坦である外側の平面部は、中央隆起補強部を囲んでいる。中央隆起補強部は、好ましくは、蹴上げ及び踏み部を有する複数のステップにおいて内部空間の方に突出しており又は向けられており、蹴上げ部は、一般に、外側の平面部に対して略上方向に突出しており、踏み部は、外側の平面部に略平行である。複数のこれらの蹴上げ及び踏みステップは、さらに、複数の変形例を意図している。
【００３７】
１つのバージョンにおいて、ステップは、密封された容器内部の圧力に対する圧力変化に起因する変形に抵抗するために横断面を厚くすることによって強化される。単独で又は強化された変形例と組み合わせて使用され得る他の相補バージョンにおいて、ステップ又は一連のステップの蛇腹又はベローズタイプの構成が含まれ、密封可能な容器に対する外部の圧力変化に応じて屈曲又は変形し、したがって、密封可能な容器の内部と周囲外気圧との間における正味の圧力差を小さくする。
【００３８】
本発明の実施形態のさらに他の変形例において、密封可能な容器は、上壁と、底壁と、前壁と、後壁と、第１の側壁と、第２の側壁とを含む。それぞれの壁は、略矩形の形状を有する。各壁の矩形形状は、容器が棚又は調理台に容易に格納されるのを可能とする。上壁及び前壁の一部、後壁、第１の側壁及び第２の側壁は、蓋を形成する。蓋は、ヒンジによって後壁に回動可能に取り付けられる。蓋は、ヒンジまわりの回転によって開封され得る。前壁は、少なくとも１つの凹部を有し、後壁は、少なくとも１つの凹部を有する。前壁の少なくとも１つの凹部及び後壁の少なくとも１つの凹部は、第１の側壁と隣接している。凹部は、握り機構を形成し、容器が例えばテーブル面又は調理台等の平坦面に置かれた場合にユーザが片手で容器の蓋を操作するのを可能とする。容器は、好ましくは、高分子材料から形成される。
【００３９】
本明細書において形成される容器は、粒状材料又は粉末状材料を保持するのに適しており、それとともに備え付けられた掬い匙を有する。掬い匙は、取っ手及びボウルを有する。容器の内部は、容器に備え付けられた掬い匙のボウルに合致する隅部を有することによって特徴付けられる。容器の隅部を有する掬い匙のボウルの一致は、ユーザが容器に残っている最後の少量の粉末を取り除くのを可能とする。柔軟性のあるシールは、粒状材料又は粉末状材料についての略水蒸気不浸透性で酸素不浸透性であるシールを形成するように容器の内部に付けられ得る。
【００４０】
蓋には、掬い匙ホルダーが備え付けられ、これにより、掬い匙は、容器の内容物に容易にきれいにアクセスことができるように容器の内容物のバルクの外側に格納され得る。容器は、片手で開閉され得る。
【００４１】
様々な好ましくて任意の実施形態のこれらの変形例、変更例、及び、改変例は、単独で、又は、互いに組み合わせて、また、既に従来の技術において知られており本明細書においても記載されている機構及び要素と組み合わせて使用されてもよく、以下の好ましい実施形態の詳細な説明及び添付図面を参照して、関連した当業者によってより良好に理解され得る。
【００４２】
以下に特許請求され且つここで図面を参照するような本発明の範囲を限定することなく、図面全体の同様の参照符号及び同様のプライム符号は、同一の、対応する、又は、等価な要素、方法、部品、機構、及び、システムに言及する。
【図面の簡単な説明】
【００４３】
【図１】本明細書において記載される容器の１つの実施形態の斜視図である。この図面において、容器の蓋は閉塞されている。この図面は、握り機構を有する容器の側面を示している。
【図２】図１においては示されない容器の側面と握り機構を有する容器の側面とを表す、図１において示される容器の実施形態の斜視図である。
【図３】図２における線３−３によって指示される領域の大きく拡大された斜視図である。この図面は、機械的ヒンジの切欠図を示している。
【図４】カラー及び蓋を備えるアセンブリの分解斜視図である。カラー及び蓋のアセンブリは、本明細書において記載される容器を形成するように桶状の貯蔵部に付けられ得る。
【図５】図４において示されるカラー及び蓋を備えるアセンブリが本明細書において記載される容器を形成するように付けられ得る、桶状の貯蔵部の斜視図である。
【図６】図１において示される容器の実施形態の正面からの側面図である。この図面は、握り機構を有する容器の前壁を示している。
【図７】図１において示される容器の実施形態の正面からの端面図である。この図面は、容器の前壁及び後壁の握り機構に隣接している容器の第１の側壁を示している。
【図８】図１において示される容器の実施形態の正面からの端面図である。この図面は、容器の前壁及び後壁の握り機構と隣接していない容器の第２の側壁を示している。
【図９】図１において示される容器の実施形態の内部の平面図である。この図面において、蓋は容器から取り外されている。
【図１０】図１における線１０−１０に沿った横断面図である。この図面は、そのアセンブリを形成するように一体ヒンジによってカラーに取り付けられた蓋を図示している。
【図１１】図１における線１１−１１に沿った横断面図である。この図面は、閉塞位置における蓋を保持するように使用され得るラッチを図示している。
【図１２】図４における線１２−１２に沿った横断面図である。この図面は、カラー及び蓋を備えるアセンブリのカラーに取り付けられた蓋を図示している。
【図１３】カラーに取り付けられた蓋の斜視図である。この図面は、取り付けられた掬い匙ホルダーと掬い匙の取っ手用の拘束具及び離隔ブラケットとを組み込んでいる蓋の内面を示している。この図面は、さらに、桶状の貯蔵部のリム又は密封フランジに取り付けられた略水蒸気不浸透性で酸素不浸透性であるシールを示している。
【図１４】図１３における線１４−１４に沿った横断面図である。この図面は、桶状の貯蔵部のリムに対する略水蒸気不浸透性で酸素不浸透性であるシールの取り付けを図示している。
【図１５】掬い匙ホルダーから取り外された掬い匙を示している蓋及び掬い匙の取っ手用の拘束具の内面の分解斜視図である。
【図１６】本明細書において記載される容器の他の実施形態の斜視図である。この図面において、容器の蓋は閉塞されており、容器の側面は握り機構を含んでいる。
【図１７】図１６の容器の実施形態の斜視図であり、図１においては示されない容器の背面及び底面を示すように回転されている。
【図１８】ステップ付き圧力補償蹴上げ及び踏み機構を含む容器の底壁の機構を示している図１６及び図１７の容器の実施形態の底面図である。
【図１９】前後の握り機構を示している図１６の容器の実施形態の第１の側壁の立面図である。
【図２０】カラーと容器の開口に添着されて被覆している不浸透性シールの構成とを図示するために取り外された蓋を有する、図１６の容器の実施形態の部分的な斜視図である。
【図２１】カラーが容器の桶状の貯蔵部に保持された場合にカラーを図示するように取り外されたガスケット及び不浸透性シールも有する、図２３の容器の実施形態の他の部分的な斜視図である。
【図２２】貯蔵部の上側部分のカラー係合機構を示すように取り外されたカラー及び不浸透性シールを有する、図２０及び図２１において示される容器の実施形態の部分的な斜視図である。
【図２３】図２２の破線２３−２３に沿った図２０から図２２の容器の実施形態の桶状の貯蔵部の上端部及び密封フランジの横断面図である。不浸透性シールが改善された図示の目的で追加されている。
【図２４】図１６から図２２の容器の実施形態のカラーの斜視図である。
【図２５】図２４において示されて破線２５−２５に沿った容器の実施形態のカラーの横断面図である。
【図２６】図１６から図２２において示されて図２４の破線２６−２６に沿っているが、図示の目的で示される所定の追加の蓋構造を有する容器の実施形態のカラーの横断面図である。
【図２７】図２６において図示される密封壁の代替変形例の横断面図である。
【図２８】図２６において図示される密封壁の他の代替変形例の横断面図である。
【図２９】蓋及びカバーアセンブリを含む上壁を示している図１６から図１９の容器の実施形態の平面図である。
【図３０】掬い匙を保持する掬い匙ホルダーを図示している図１６から図１９の容器の実施形態の蓋の下側の斜視図である。
【図３１】掬い匙ホルダーのさらなる図示のために取り外された掬い匙を有する図３０の蓋の下側の斜視図である。
【図３２】掬い匙のボウルの合致するリムの代替変形例を示すように異なる配置における掬い匙の斜視図である。
【図３３】掬い匙のボウルの合致するリムの代替変形例を示すように異なる配置における掬い匙の斜視図である。
【図３４】ドーム状で角をなす壁の蓋の変形例の横方向に延在している横断面を示すように、破線３４−３４に沿った図２９の容器の実施形態の蓋の断面図である。
【図３５】掬い匙ホルダーの保持要素の方に向けられた図を有する破線３５−３５に沿った図２９の容器の実施形態の蓋の断面図である。
【図３６】掬い匙ホルダーのボウルブラケットの方に向けられた図を有する破線３６−３６に沿った図２９の容器の実施形態の蓋の断面図である。
【図３７】貯蔵部の底面に対する底面圧力制御、集中補強材、及び／又は、ステップ付き部分の変更を表す、破線３７−３７に沿った図１８の容器の実施形態の断面図である。
【図３８ａ】図３７における詳細図線３８に沿った詳細図であり、柔軟性があって圧力応答性がある、貯蔵部の底面の集中補強材又はステップ付き部分の厚みが減少した横断面構成の代替例を図示している。
【図３８ｂ】図３７における詳細図線３８に沿った詳細図であり、柔軟性があって圧力応答性がある、貯蔵部の底面の集中補強材又はステップ付き部分の厚みが減少した横断面構成の代替例を図示している。
【図３９ａ】図３７における詳細図線３９まわりの詳細図であり、柔軟性があって圧力応答性がある、貯蔵部の底面の集中補強材又はステップ付き部分のベローズ及び／又はプリーツのある横断面構成の他の代替例を図示している。
【図３９ｂ】図３７における詳細図線３９まわりの詳細図であり、柔軟性があって圧力応答性がある、貯蔵部の底面の集中補強材又はステップ付き部分のベローズ及び／又はプリーツのある横断面構成の他の代替例を図示している。
【発明を実施するための形態】
【００４４】
本明細書において使用される語句「上壁」は、容器の底壁、第１の側壁、第２の側壁、前壁、及び、後壁を除く容器の側面を意味する。用語「蓋」は、中空の貯蔵部用のヒンジ式のカバーを意味し、独立して形成されて取り外し可能な蓋と、並びに、単独の蓋、蓋とカラーとのアセンブリ、及び、他の変形例を含むことができる他の変形例とを含むことを意図し、蓋及び／又はカラーは、容器の第１の側壁の上側部分、第２の側壁の上側部分、前壁の上側部分、及び、後壁の上側部分を加えた容器の上壁から形成されている。本明細書において使用される用語「ブラケット」は、負荷を支持するように構成された壁に固定された固定具を意味する。
【００４５】
ここで、図１、図２、及び、図５から図９を参照する。容器１０は、上壁１２と、内側底面１４ａを有する底壁１４と、前壁１６と、後壁１８と、第１の側壁２０と、第２の側壁２２とを含む。前壁１６は、内側主面１６ａと、外側主面１６ｂと、上側部分１６ｄと、下側部分１６ｅとを備える。後壁１８は、内側主面１８ａと、外側主面１８ｂと、上側部分１８ｄと、下側部分１８ｅとを備える。第１の側壁２０は、内側主面２０ａと、外側主面２０ｂと、上側部分２０ｄと、下側部分２０ｅとを備える。第２の側壁２２は、内側主面２２ａと、外側主面２２ｂと、上側部分２２ｄと、下側部分２２ｅとを備える。
【００４６】
容器１０並びにそれに対する後述する変形例及び変更例が略立方形であるように様々な記載及び図面において説明されるが、立方形の形状は、記載して製造し且つ使用することがより困難なタイプの容器であるように関連技術における当業者によって時々見出されることから、そのような形状のみが示される。しかしながら、本発明は、円筒状、オブロイド（ｏｂｌｏｉｄ）状、直線状、及び、他の形状を含む容器の全ての形状及び大きさをともなう使用と、ほとんどの本明細書において記載される粉末状材料及び／又は製品と同様に流体用に構成された容器をともなう使用とを受け入れ得る。さらにまた、本発明の任意で好ましい実施形態のそれぞれは、記載された説明及び描かれた図面にわたって説明される様々な機構、部品、変更例、及び、変形例の全てとの互換性を意図する。
【００４７】
図１、図２、及び、図４からわかるように、本発明の例示的な実施形態において、本明細書において述べられ且つ本明細書における他の場所に示される他の変形例の内容において述べられる容器１０の蓋とカラーとのアセンブリは、上壁１２の一部と、前壁１６の上側部分１６ｄと、後壁１８の上側部分１８ｄと、第１の側壁２０の上側部分２０ｄと、第２の側壁２２の上側部分２２ｄとから形成されている及び／又はこれらを含む。本明細書において意図される蓋及びカラーの変形例は、壁と一体的に形成されてもよく、蓋及びカラーの一体的なアセンブリ及び／又は組み合わせとして形成されてもよく、ヒンジ又は他のタイプの回動可能な及び／又は着脱自在な装置又は壁の１つ以上の部分への接続によって接合され得る別個の蓋及び別個のカラーとして設けられてもよい。以下により詳細に説明されるように、蓋及びカラーの構成は、クリップ、摩擦嵌め構成、及び、他の同様に望ましい任意の部品及び方法の使用を含む様々な方法で創作性のある容器に取り付けられて組み立てられ得る。
【００４８】
蓋はまた、本発明の様々な実施形態に関連して以下により詳細に説明され、様々な実施形態及びそれらの変形例に言及するために参照文字「Ｌ」及び「Ｄ」によって以下に参照される（図１、図２、図４、及び、図２９から図３１を参照）。最初に図１、図２、及び、図４において図示されるバージョンの蓋「Ｌ」に焦点を合わせると、蓋「Ｌ」は、以下に参照文字「Ｌｉ」によって言及される内面を有する。蓋はまた、以下に参照文字「Ｌｅ」によって指定される外面を有する。ヒンジ２４は、蓋「Ｌ」を後壁１８に取り付ける。
【００４９】
前壁１６は、ユーザの左手親指による容器１０の握りを容易とするように配置された凹部２６ａを有する。後壁１８もまた、ユーザの左手の指による容器１０の握りを容易とするように配置された凹部２６ｂを有する。凹部２６ａは、ユーザの親指の配置のための凹部２６ａの正確な位置を示すために追加の凹部２７ａをさらに有することができる。凹部２７ａは、凹部２６ａよりも領域が小さい。凹部２７ａは、形状として円形が好ましいが、他の形状もまた許容することができる。凹部２６ｂは、ユーザの所望の指の配置のための凹部２６ｂの正確な位置を示すために追加の凹部２７ｂをさらに有することができる。凹部２７ｂは、凹部２６ｂよりも領域が小さい。凹部２７ｂは、形状として円形が好ましいが、他の形状もまた許容することができる。凹部２６ａ及び２６ｂは、容器１０の第１の側壁２０に隣接して配置される。
【００５０】
代替の実施形態（図示せず）において、凹部２６ａ、２７ａ、２６ｂ、２７ｂは、ユーザの右手親指とユーザの右手の指とによる容器１０の握りを容易とするように配置され得る。この代替の実施形態において、凹部は、容器１０の第２の側壁２２に隣接して配置される。
【００５１】
さらに他の代替例（図示せず）において、前壁１６は、２つの凹部を有することができ、後壁１８は、２つの凹部を有することができ、前壁１６の一方の凹部と後壁１８の一方の凹部は、ユーザの左手親指と左手の指とによる容器１０の握りを容易とするように配置され、前壁１６の一方の凹部と後壁１８の一方の凹部は、ユーザの右手親指と右手の指とによる容器１０の握りを容易とするように配置される。この実施形態において、一対の凹部は、第１の側壁２０及び第２の側壁２２の双方に隣接して配置される。
【００５２】
ヒンジ２４は、ほとんど空の容器をひっくり返らせる場合があるユーザが製品にアクセスした場合に、蓋「Ｌ」が落ちるのを防止する。ヒンジ２４は、一体ヒンジ又は従来の機械的ヒンジとすることができる。一体ヒンジは、２つの硬い物体をともに接合する薄い柔軟性のある繊維材料である。この場合、一体ヒンジは、セグメントをともに保持して対象物が開閉するのを可能とするように、対象物の２つのセグメント、すなわち、容器１０の蓋「Ｌ」及び後壁１８を接続する。
【００５３】
一体ヒンジを形成するために使用される材料は、好ましくは、例えばポリプロピレンやポリエチレン等の非常に柔軟性のある高分子材料である。一体ヒンジは、多くの回数不具合なしで屈曲され得る。一体ヒンジは、２００６年１１月６日のｈｔｔｐ：／／ｗｗｗ．ｅｆｕｎｄａ．ｃｏｍ／ｄｅｓｉｇｎｓｔａｎｄａｒｄｓ／ｐｌａｓｔｉｃ＿ｄｅｓｉｇｎ／ｈｉｎｇｅ．ｃｆｍ、１から３ページと、２００６年１１月６日のｈｔｔｐ：／／ｅｎｇｒ．ｂｄ．ｐｓｕ．ｅｄｕ／ｐｋｏｃｈ／ｐｌａｓｔｉｃｄｅｓｉｇｎ／ｌｉｖｉｎｇ＿ｈｉｎｇｅ．ｈｔｍ、１から８ページとにおいて、より詳細に記載されている。
【００５４】
従来の機械的ヒンジは、限定されないが、端縁に取り付けられた２つ以上のソケットを有する第１のパネルと、端縁に取り付けられた２つ又はそれ以上のピンを有する第２のパネルとを備えるヒンジアセンブリを含み、上記ピンは、第１のパネルの端縁を第２のパネルの端縁に接合するように上記ソケットと結合し、ピン及びソケットは、第１のパネルが第２のパネルまわりに回転するのを可能とする。従来の機械的ヒンジは、２００６年１２月２６日のｈｔｔｐ：／／ｗｗｗ．ｈａｒｄｗａｒｅｓｏｕｒｃｅ．ｃｏｍ／ｉｎｄｅｘ．ａｓｐ、「ｏｔｈｅｒ  ｈｉｎｇｅｓ」を参照すると、より詳細に記載されている。
【００５５】
ヒンジ２４は、ユーザが容器１０の内容物へアクセスすることを可能とするように容器１０の蓋「Ｌ」が開封された場合に、蓋「Ｌ」が閉塞位置まで前方に落ちないような方法で設計されている。さらに、蓋「Ｌ」は、所望の開封位置を越えて極端に後方に落ちず、ほとんど空の場合に容器１０が後壁１８上にひっくり返る事態を引き起こす。同様に適した他のタイプの機械的ヒンジは、他の図面及び本明細書において他の場所に記載された説明のうち、図１６から図２１、図２４、及び、図２９から図３１を参照すると見ることができる。
【００５６】
上壁１２、底壁１４、前壁１６、後壁１８、第１の側壁２０、及び、第２の側壁２２は、製品が内部に挿入される中空の内部空間「Ｈ」（図５、図９）を囲んでいる。中空の内部空間「Ｈ」が任意の固体又は液体製品を保持することができる場合、容器１０が設計される特定の製品は、一般に、例えば粉末状製品及び／又は粒状製品等の流動性を有する固体材料である。そのような粉末状製品及び／又は粒状製品の代表的な例には、限定されないが、特殊調製粉乳、小麦粉、コーヒー、及び、砂糖が挙げられる。
【００５７】
ここで、図１３、図１４、図２０、図２３、及び、図２６を参照する。略水蒸気不浸透性、酸素不浸透性シール２８が、前壁１６、後壁１８、第１の側壁２０、及び、第２の側壁２２の内側主面１６ａ、１８ａ、２０ａ、２２ａにそれぞれ取り付けられている。任意に、略水蒸気不浸透性、酸素不浸透性シール２８はまた、遮光性とすることもできる。略水蒸気不浸透性、酸素不浸透性シール２８上のプルタブ２８ａは、ユーザによるシール２８の取り外しを容易とするように使用され得る。
【００５８】
略水蒸気不浸透性、酸素不浸透性シール２８は、酸素、水蒸気、光に対して略不浸透性であるシート状材料から形成され得る。略水蒸気不浸透性、酸素不浸透性シール２８の準備に使用するのに適した材料は、例えば、アルミニウム箔もしくはいくつかの他の金属材料から形成された箔、又は、金属、高分子、及び、他の材料層を含むことができる材料の層の組み合わせ等のシート状の箔とすることができる。
【００５９】
１つの実施形態において、略水蒸気不浸透性、酸素不浸透性シール２８は、容器１０の前壁１６、後壁１８、第１の側壁２０、及び、第２の側壁２２のそれぞれの内側主面１６ａ、１８ａ、２０ａ、２２ａ上の前壁１６の上側部分１６ｄ、後壁１８の上側部分１８ｄ、第１の側壁２０の上側部分２０ｄ、第２の側壁２２の上側部分２２ｄの端縁の近くの位置において適用される。略水蒸気不浸透性、酸素不浸透性シール２８は、シール２８のプルタブ２８ａを引っ張り、容器１０の前壁１６、後壁１８、第１の側壁２０、第２の側壁２２のそれぞれの内側主面１６ａ、１８ａ、２０ａ、２２ａに対する取り付け位置からシール２８を取り外すことによって取り外され得る。
【００６０】
ここで、図１３、図１５、図３０から図３１、図３５、及び、図３６を参照する。蓋「Ｌ」の内面「Ｌｉ」（及び後述する蓋「Ｄ」の内面「Ｄｉ」）に対して取り付けられるものは、掬い匙ホルダー３０である。掬い匙ホルダー３０は、第１のブラケット３０ａと、第２のブラケット３０ｂとを備える。掬い匙ホルダー３０は、製品から分離するためにそのような位置に掬い匙３２を保持することができる。掬い匙３２は、ボウル３６に取り付けられた取っ手３４を備え、取っ手は、補強材３４ｂ（図３３０、図３２から図３３）を組み込むことができる。同様に好ましくて任意に望ましい掬い匙３０の他の変形例は後述され、図３０、図３２、及び、図３３を参照して且つ本明細書における他の場所に見ることができる。
【００６１】
掬い匙３２は、ユーザにボウル３６よりもむしろ取っ手３４によって掬い匙３２を取り外させるような方法で、第１のブラケット３０ａ及び第２のブラケット３０ｂ内に配置される。さらにまた、第１のブラケット３０ａ及び第２のブラケット３０ｂは、粉末状製品又は粒状製品が掬い匙３２のボウル３６に侵入するのを防止するような方法で、掬い匙３２が第１のブラケット３０ａ及び第２のブラケット３０ｂによって保持され得るように配置される。
【００６２】
他の場所で述べられたように、この機構は、そのような容器が、押し合いの予想外の量、振動、トラック、車両、郵便配達員による逆さまの又はひっくり返された出荷、及び、製造や流通、消費者による日常の使用における衝撃を受けるという事実の観点で、本発明の容器のユーザに対する特定の利益から構成される。そのような容器は、双方とも遊んでいる好奇心の強い子供達の誤用で破壊されるのを経験することがある場所である、車両内において及び／又はよく使用されるオムツ用バッグ内において、親が本明細書において記載されるもののような容器内に粉末状の製品を携行する場所等、育児をともなう環境においてより高いレベルでの誤用を受ける可能性がある。
【００６３】
掬い匙ホルダー３０の第１のブラケット３０ａは、掬い匙３２のボウル３６の開口を被覆し、これにより、掬い匙ホルダー３０から掬い匙３２を取り外すことによって容器の外側に製品を撒き散らすのをもたらすことがある、掬い匙３２のボウル３６への容器内の製品の侵入を防止する。掬い匙３２のボウル３６は、掬い匙３２が掬い匙ホルダー３０内に配置された場合に、略水蒸気不浸透性、酸素不浸透性シール２８と干渉しない。
【００６４】
掬い匙ホルダー３０は、掬い匙３２の取っ手３４が容器の内容物の上方に配置された略水蒸気不浸透性、酸素不浸透性シール２８と接触するのを防止されるような方法で配置され、これにより、シール２８の完全な状態（ｉｎｔｅｇｒｉｔｙ）を保護する。さらに、掬い匙ホルダー３０は、取っ手３４が取り除かれるのを防止し、出荷及び保存中に掬い匙３２の位置を保持する。
【００６５】
図１３及び図１５において示されるように、掬い匙３２は、第１のブラケット３０ａと第２のブラケット３０ｂとの間の開口３０ｃ内に掬い匙３２のボウル３６を摺動することによって掬い匙ホルダー３０内に挿入され得る。掬い匙ホルダー３０内に挿入された場合、掬い匙３２は、摩擦嵌めによって第１のブラケット３０ａと第２のブラケット３０ｂとによって保持される。
【００６６】
掬い匙３２は、掬い匙ホルダー３０の第１のブラケット３０ａ及び第２のブラケット３０ｂと掬い匙３２のボウル３６を位置合わせし、掬い匙ホルダー３０の第１のブラケット３０ａ及び第２のブラケット３０ｂに接触して掬い匙３２のボウル３６を摺動することによって蓋「Ｌ」に取り付けられ得、これにより、掬い匙３２のボウル３６と掬い匙ホルダー３０との間に摩擦嵌めを発生させる。
【００６７】
任意ではあるが望ましい蓋「Ｌ」の機構は、掬い匙ホルダー３０と掬い匙３２のボウル３６との間の接続（すなわち摩擦嵌め）が、掬い匙ホルダー３０内で掬い匙３２のボウル３６が回転するのを可能とするように十分に緩い場合に、掬い匙３２の取っ手３４が回転するのを防止するための拘束具３８であり、これにより、掬い匙３２の取っ手３４が略水蒸気不浸透性、酸素不浸透性シール２８と接触して、場合によってはシール２８を孔開けするのを可能とする。
【００６８】
図１３、図１５、及び、図３０から図３１において示されるように、上記拘束具３８は、蓋「Ｌ」の内面「Ｌｉ」から上方に立ち且つ掬い匙３２の取っ手３４の端縁３４ａを受けるためにその一端において切り込み４２を有する第１の突起４０を備える。上記拘束具３８は、さらに、掬い匙ホルダー３０と第１の突起４０との間に配置され且つ蓋「Ｌ」の内面「Ｌｉ」から上方に立つ、第２の突起４４を備える。第１の突起４０よりも大きい長さからなる第２の突起４４は、掬い匙３２のボウル３６が掬い匙ホルダー３０内で回転する場合、掬い匙３２の取っ手３４が略水蒸気不浸透性、酸素不浸透性シール２８に向かって下側に移動するのを防止するようにその一端に形成された保持体４６を有する。
【００６９】
第１の突起４０は、任意のレベルの柔軟性を呈するのを必要としないが、第２の突起４４は、掬い匙３２が掬い匙ホルダー３０及び拘束具３８まで戻る場合に掬い匙３２の取っ手３４によって十分に移動可能であるような十分な柔軟性がある必要がある。図１５、図３０、及び、図３１を継続して参照して理解され得るように、上方に立つ第１の突起４０は、掬い匙３２の取っ手３４を解放可能に捕捉し、且つ蓋「Ｌ」の内面「Ｌｉ」（及び他の蓋「Ｄ」の内面「Ｄｉ」）上の距離で掬い匙３２の取っ手３４を保持するように第２の突起及び拘束具４４と協働する。このようにして、特に図１５、図３０、及び、図３１において図示されるように、握り位置がユーザによって便利に取り外し可能に保持されることから、ユーザは、取っ手３４を容易に握ることができる。取っ手は、取っ手３４と内面「Ｌｉ」及び「Ｄｉ」との間の第１の突起４０の高さによって形成された握り位置において離れている距離で保持される。
【００７０】
掬い匙３２のボウル３６は、前壁１６と第１の側壁２０と底壁１４との間、前壁１６と第２の側壁２２と底壁１４との間、後壁１８と第１の側壁２０と底壁１４との間、後壁１８と第２の側壁２２と底壁１４との間のそれぞれの接点によって形成された、接点又は隅部５０ａ、５０ｂ、５０ｃ、５０ｄに合致するように成形された横断面幾何形状を有する、リム３６ａを有する。隅部又は接点５０ａ、５０ｂ、５０ｃ、５０ｄは、図９において示されており、図１、図２、及び、図５から図８の外観からも明らかである。隅部５０ａ、５０ｂ、５０ｃ、５０ｄの形状と掬い匙３２のボウル３６のリム３６ａの形状は、製品を吐き出しながら容器１０をひっくり返す又は回転する必要なく、製品の最大量が掬い匙３２によって容器１０から取り除かれるのを可能とする。
【００７１】
図９において示されるように、隅部５０ａ、５０ｂ、５０ｃ、５０ｄは、特定の横断面幾何形状を有し、好ましくは丸く、より好ましくは、掬い匙３２のボウル３６のリム３６ａの半径に略等しい隅部５０ａ、５０ｂ、５０ｃ、５０ｄのそれぞれの半径を有して形成される。代替の実施形態（図３２、隅部５０ｆ）において、隅部は、他の形状を有することができ、例えば、隅部５０ａ、５０ｂ、５０ｃ、５０ｄと、底壁１４と壁１６、１８、２０、２２との間の隅部又は接点とが、直角を形成するように交差することができる。ボウル３６のリム３６ａは、壁１６、１８、２０、２２のそれら自身の間と、底壁１４と壁１６、１８、２０、２２との間の隅部又は接点の意図された直角のものと一般に適合する直角を有するリムの一部を有して形成され得る（例えば図３２及び図３３を参照）。
【００７２】
さらに他の実施形態において（図３３における典型的な掬い匙の変形例を参照）、隅部５０ａ、５０ｂ、５０ｃ、５０ｄは、各隅部を形成する２つの１２０°の角度を有する３つの側面を有することができる。これらの代替の実施形態において、掬い匙３２のボウル３６は、各隅部５０ａ、５０ｂ、５０ｃ、５０ｄの形状に合致する形状及び／又はリム部３６ｃを有する（図３３）。例えば、図３２において図示される直角の掬い匙のリムと壁接点との類似の変形例もまた参照する。さらに任意又は好ましい構成において、壁１６、１８、２０、２２は、より好ましくは丸い、さらにより好ましくは、半径に略等しいように及び／又は掬い匙３２のボウル３６のものに合致する形状を有するように各隅部５０ａ、５０ｂ、５０ｃ、５０ｄのものと同様の半径を有して形成された特定の横断面幾何形状も有するように、底壁１４を接合している。これらの図示された実施形態のいずれかにおいて、当業者は、容器１０及び掬い匙３２及び／又は掬い匙のボウル３６を形成するように使用される材料が、小さいもしくはより多くの量だけボウル３６のリム３６ａが屈曲する及び／又は変形するのを可能とする柔軟性のある高分子材料から構成されてもよいということを、本明細書における他の場所の説明から理解することができる。このように、リム３６ａの横断面幾何形状は、使用中に、ある意味で接点又は隅部に対して付勢され得、これにより、リム３６ａは、中空の内部空間「Ｈ」から内容物を取り除くことの容易さを最大化するように、特定の横断面幾何形状により容易に適合する。図３２及び図３３において、合致する形状とされたボウル３６の例が示されている。図３２において、リムは、同様の直角の壁接点を有する容器の隅部５０ｆに適合し且つ合致することができる直角を有するように配置された部分３６ｂを有する。図３３において、リムは、複数の角のあるリム３６ｃを有し、同様に形成された壁接点に合致するように複数の鈍角が形成されている（図示しないが、図３２の壁接点５０ｆと同様の概念）。
【００７３】
容器１０の底壁１４の形状と容器１０の上壁１２の形状は、例えば食料品店の棚等において複数の容器１０が互いに積み上げられるのを可能とするように設計され得る。容器１０の底壁１４の周囲の形状が容器１０の上壁１２の周囲の形状と略同様であるのが好ましい。上壁１２は、平面又は曲面とすることができ、底壁１４は、平面又は曲面とすることができる。一般に、上壁１２が曲面である場合には、底壁１４はまた、複数の容器１０が他の上面に積み上げられ得るように、上壁１２と略合致するような曲面でなければならない。
【００７４】
しかしながら、容器１０の上壁１２が水平の棚に対して水平の姿勢のままであるように容器１０の底壁１４が設計されているならば、容器１０の底壁１４が平坦でない場合であっても、蓋「Ｌ」が平面である限り、容器１０は、積み上げられ得る。図１、図２、図４、図１０から図１２において、並びに、図１６、図１９、図３０から図３１、及び、図３４から図３６において、容器１０（又は容器２１０）の上壁１２（又は同様に上壁２１２）は、凸状であることが分かる。したがって、図１及び図２において示された実施形態に関して、容器１０の底壁１４は、好ましくは、複数の容器１０が互いに積み上げられるように凹状である。
【００７５】
握りのための凹部２６ａ及び２６ｂを組み合わせた容器１０の矩形の形状は、ユーザが、他方の手で掬い匙３２を使用しながら一方の手で容器１０を保持するのを可能とする。容器１０の形状は、掬い匙３２によって容器１０から製品を取り出す動作中に製品に容易にアクセスするのを可能とする。
【００７６】
容器１０の形状は、容器１０の前壁１６、後壁１８、第１の側壁２０、及び、第２の側壁２２の上側部分１６ｄ、１８ｄ、２０ｄ、２２ｄにそれぞれ蓋「Ｌ」がしっかりと適合するのを可能にする。
【００７７】
ここで、図１、図４、及び、図１１（及び、後述される実施形態及びそれに対する変形例の説明のための図１６及び図１９）を参照する。蓋「Ｌ」及び前壁１６に関連する容器ロック機構５２は、容器１０の寸法公差の範囲にわたって、容器１０の前壁１６、後壁１８、第１の側壁２０、及び、第２の側壁２２の上側部分１６ｄ、１８ｄ、２０ｄ、２２ｄの端縁にそれぞれ蓋「Ｌ」がしっかりと且つ強固に適合することを可能とする。容器ロック機構５２は、つまみ又はフラップ５６、第１の端縁５８ａ、及び、第２の端縁５８ｂを有するラッチ５４を備える。
【００７８】
第１のブリッジ６０ａ及び第２のブリッジ６０ｂは、それぞれ、ラッチ５４の第１の端縁５８ａ及び第２の端縁５８ｂから突出している。第１のブリッジ６０ａは、一端にノブ６２ｂがある小さい柄６２ａを備え、第２のブリッジ６０ｂは、一端にノブ６４ｂがある小さい柄６４ａを備える。ノブ６２ｂ及び６４ｂ並びに小さい柄６２ａ及び６４ａの一部は、蓋「Ｌ」の外面「Ｌｅ」における小さい凹部（図示せず）に適合し、小さい凹部は、ブリッジ６０ａ及び６０ｂと合致し、ラッチ５４が最初に開放されるまで、摩擦によって凹部（図示せず）から取り外されることを防止される。ブリッジ６０ａ及び６０ｂの機能は、ラッチ５４の任意の不正開封を示すことである。ここで、図１１を参照すると、ラッチ５４のつまみ又はフラップ５６は、前壁１６の外側主面１６ｂから突出する要素７０につまみ又はフラップ５６を接続する、一般に一体ヒンジであるヒンジ６８によって前壁１６に取り付けられている。
【００７９】
ラッチ５４が不正開封されない状態である場合には、第１のブリッジ６０ａ及び第２のブリッジ６０ｂは、これらの完全な状態を保持する。使用される前に、つまみ又はフラップ５６は、前壁１６の外側主面１６ｂの凹部７４内に形成された保持体７２を握ることによって閉塞位置に保持される。ラッチ５４が保持体７２から離れてその最初の非開放位置から第２の位置までつまみ又はフラップ５６を回転させることによって開放された場合には、引っ張り力は、小さい柄６２ａ及び６４ａを折り、これにより、容器１０の蓋「Ｌ」が上方に持ち上げられることを可能とし、したがって、ユーザが容器１０の内部にアクセスすることができるように蓋「Ｌ」がヒンジ２４まわりに回転され得る（図２を参照）。
【００８０】
極端に小さい引っ張り力がブリッジ６０ａ及び６０ｂの小さい柄６２ａ及び６４ａをそれぞれ折ることが必要とされるということをユーザが見出した場合には、消費者は、ラッチ５４に不正開封が起こったことを疑うであろう。小さい柄６２ａ及び６４ａが折られた後、ノブ６２ｂ及び６４ｂは、蓋「Ｌ」の外面「Ｌｅ」における凹部内に折られたブリッジ６０ａ及び６０ｂの残りの部分を保持するのを助ける。所定の使用後に容器１０の蓋「Ｌ」を閉塞するために、蓋「Ｌ」が下方に回転され、したがって、蓋「Ｌ」の端縁は、容器１０の前壁１６、後壁１８、第１の側壁２０及び第２の側壁２２の上側部分１６ｄ、１８ｄ、２０ｄ、２２ｄのそれぞれの端縁と接触し、これにより、ユーザがその後に容器１０を開封することを望むまで、ラッチ５４のつまみ又はフラップ５６は、容器１０を閉塞位置に保持するように保持体７２を握ることができる。より好ましくは、ラッチ５４は、蓋「Ｌ」及び容器１０の開封又は閉塞状態に関する追加の合図をユーザに与える触覚及び聴覚フィードバックの双方によって把握され得る爪と係合して開放する。
【００８１】
図１及び図１６において示されるように、不正開封を示すシール７６は、不正開封、損傷、又は、他の状況の証拠を示すように容器の前部又は他の場所に接着され得る。図１において、不正開封シール７６は、容器１０が販売される前に開封されたかどうかについての視覚的な表示を与えるように容器１０の壁１６及び蓋「Ｌ」に添着されている。１つの実施形態において、不正開封を示すシール７６は、接着層（図示せず）に接着されたバッキング７６ａを備える。バッキング７６ａは、引き裂くことができる紙又は引き裂くことができる高分子材料からなるシートとすることができる。接着剤は、程よく高い積極的な接着性のものとすることができる。不正開封シール７６は、限定されない例として、蓋と壁との間における界面にわたって、及び、意図されたカラー及び蓋のアセンブリにわたる適切な位置を含む多くの等しく効果的な位置に配置され得る。
【００８２】
蓋「Ｌ」が容器１０の前壁１６の上側部分１６ｄに交差する線において、分割線又はミシン目の線が、不正開封を示すシール７６のバッキング７６ａにあるのが好ましい。容器１０を開封する試みは、分割線又はミシン目の線に沿ったバッキング７６ａの引き裂きをもたらし、これにより、容器１０を無断で開封する試み又は現実の開封を視覚的に示す。
【００８３】
容器１０及びその部品の寸法は、重要ではない。しかしながら、実例の目的のために、様々な部品の典型的な寸法は、以下の通りとすることができる：
上壁１２及び底壁１４：４インチから５インチ×５．５インチから６．５インチ。
前壁１６及び後壁１８：５．５インチから７．５インチ×５．５インチから６．５インチ。
第１の側壁２０及び第２の側壁２２：４インチから５インチ×５．５インチから７．５インチ。
容器１０の体積：１０から６０オンス、より典型的には２０から４０オンス、例えば２３オンスから３４オンスの粉末の重量を含む。
【００８４】
本明細書において記載された容器１０を形成するには多くの方法がある。しかしながら、様々な体積を有する容器の大量生産を容易とするために、容器１０は、様々な同様に適した方法で、且つ、多くの効果及び任意の好ましい機構のいずれかを使用することによって組み立てられ得る。限定されない実例として、本明細書において示された例示的な構成は、摩擦嵌め、クリップ留め、及び、同様のタイプの蓋及びカラー及び容器のアセンブリ装置を意図する。そのような例は、図４から図８において含まれる様々な図面、及び、図１６から図２８において描かれる本発明の実施形態の後述する他の変形例及び変更例において見ることができる。
【００８５】
ここで、図４、図５、図６、図７、及び、図８を参照する。底壁１４と、前壁１６の下側部分１６ｅと、後壁１８の下側部分１８ｅと、第１の側壁２０の下側部分２０ｅと、第２の側壁２２の下側部分２２ｅとを備える桶状の貯蔵部８０が供給者によって提供され得る。前壁１６の下側部分１６ｅ、後壁１８の下側部分１８ｅ、第１の側壁２０の下側部分２０ｅ、及び、第２の側壁２２の下側部分２２ｅは、それぞれ、一般に、上記前壁１６、後壁１８、第１の側壁２０、及び、第２の側壁２２の高さの約６０％から９０％からなる。
【００８６】
カラー８４及び蓋「Ｌ」を備えるアセンブリ８２（あるいは、カラー／蓋アセンブリ８２として本明細書において称される）が、供給者によって提供され得る。カラー／蓋アセンブリ８２は、上壁１２と、前壁１６の上側部分１６ｄと、後壁１８の上側部分１８ｄと、第１の側壁２０の上側部分２０ｄと、第２の側壁２２の上側部分２２ｄとを備える。前壁１６の上側部分１６ｄ、後壁１８の上側部分１８ｄ、第１の側壁２０の上側部分２０ｄ、及び、第２の側壁２２の上側部分２２ｄは、それぞれ、一般に、上記前壁１６、後壁１８、第１の側壁２０、及び、第２の側壁２２の高さの約１０％から４０％からなる。
【００８７】
前壁１６の下側部分１６ｅ、後壁１８の下側部分１８ｅ、第１の側壁２０の下側部分２０ｅ、及び、第２の側壁２２の下側部分２２ｅについての比率と、前壁１６の上側部分１６ｄ、後壁１８の上側部分１８ｄ、第１の側壁２０の上側部分２０ｄ、及び、第２の側壁２２の上側部分２２ｄについての比率は、主として容器１０の体積に依存し、順次、桶状の貯蔵部８０の体積に依存する。カラー及び蓋のアセンブリ８２の大きさは、基本的に一定のままであるが、桶状の貯蔵部８０の体積は、様々な体積の容器を形成するように変動する。
【００８８】
貯蔵部を有するカラー及び蓋のアセンブリを組み合わせるための様々な取り付け方法が本発明によって意図され、組み合わせ及び変形例が同様に適するように見出され、図３から図４、図１０から図１３、及び、図１６から図３６を参照してより良好に理解され得るように必要に応じて置換され得る。図３から図４及び図１０から図１３を最初に参照すると、当業者は、本発明の好ましい実施形態の１つの変形例を理解し、カラー８４の各隅部８４ａ、８４ｂ、８４ｃ、８４ｄは、カラー８４を桶状の貯蔵部８０と適切に位置合わせするように、少なくとも１つのガイドフィン８６ａ、好ましくは２つのガイドフィン８６ａ及び８６ｂを有する。桶状の貯蔵部８０は、底壁１４と、上側部分１６ｄ、１８ｄ、２０ｄ、２２ｄがカラー８４を構成する前壁１６、後壁１８、第１の側壁２０、及び、第２の側壁２２の上側部分１６ｄ、１８ｄ、２０ｄ、２２ｄからそれぞれ構成されない前壁１６、後壁１８、第１の側壁２０、及び、第２の側壁２２のそれらの一部とから構成される。
【００８９】
カラー８４は、カラー８４の各隅部８４ａ、８４ｂ、８４ｃ、８４ｄにおけるガイドフィン８６ａ、８６ｂを、桶状の貯蔵部８０の密封フランジ又はリム８８に配置された隅部８０ａ、８０ｂ、８０ｃ、８０ｄと位置合わせし、桶状の貯蔵部８０にカラー８４を圧入することによって桶状の貯蔵部８０に接合されている。密封フランジ又はリム８８は、中空の内部空間「Ｈ」に対する開口を画定する内端縁８９において終端している。
【００９０】
カラー８４の各隅部８４ａ、８４ｂ、８４ｃ、８４ｄのガイドフィン８６ａ、８６ｂは、桶状の貯蔵部８０の外周囲に設けられた溝９０内にぴったりと適合する。カラー８４が桶状の貯蔵部８０に接合された後、不正開封を示すシール７６は、容器１０の前壁１６及び蓋「Ｌ」に貼付される。図１６から図２９において図示される後述するかみ合いと、蓋、カラー、貯蔵部を組み合わせた機構はまた、即時の実施形態及びそれに対する変更例に使用することを意図している。即時に記載される取り付け機構は、以下に述べられる後述する実施形態による使用を同様に受け入れ得る。
【００９１】
容器１０の内部の略水蒸気不浸透性、酸素不浸透性シール２８の位置は、選択の問題である。１つの実施形態において、略水蒸気不浸透性、酸素不浸透性シール２８は、密封フランジ又はリム８８に直接貼付され得、該密封フランジ又はリム８８は、接着剤、一般にはヒートシール可能な接着剤によって桶状の貯蔵部８０の外周囲に設けられた取り付け表面である。図１４、図２０、図２３、及び、図２６を参照する。他の実施形態において、シール２８は、例えば桶状の貯蔵部８０の外周囲に設けられた溝９０の略中ほど又はより低い地点等、容器１０の桶状の貯蔵部８０の外周囲に設けられたリム８８よりも低い位置において、容器１０の前壁１６、後壁１８、第１の側壁２０、及び、第２の側壁２２のそれぞれの内壁１６ａ、１８ａ、２０ａ、２２ａに貼付され得る。この実施形態は、あつらえの取り付け装置を必要とするが、桶状の貯蔵部８０とカラー８４との間のひび又は亀裂内への粒状の製品の移動が低減され得るため望ましいことがある。
【００９２】
蓋「Ｌ」をカラー８４に回動可能に及び／又はヒンジ式に接合するための一体ヒンジ又は機械的ヒンジの使用もまた、選択肢である。ここで、図２及び図３を参照すると、機械的ヒンジ１００（図３、並びに、図１６から図１９、図２４、及び、図２９から図３１もまた参照）を使用する１つの実施形態において、ピンが、カラー８４の上側後端縁１０４から上方に立つ突起１０２ａ、１０２ｂ内にそれぞれ成形され得る。これらの突起１０２ａ、１０２ｂは、カラー８４の外面と同一平面とするために成形され得る。図３は、突起１０２ａをより詳細に示している。突起１０２ａは、成形によってその上に形成されたピン１０６ａを有する。突起１０２ｂもまた、成形によってその上に形成されたピンを有する。
【００９３】
突起１０２ｂ上のピンが示されていないが、それは、ピン１０６ａの左右対称の像である。ソケットは、突起１０２ａ、１０２ｂのピンを受けて保持するように蓋「Ｌ」に形成され得る。図３は、ピン１０６ａを受けるソケット１０８ａを示している。突起１０２ｂのピンを受けるためのソケットが示されていないが、それは、ソケット１０８ａの左右対称の像である。蓋「Ｌ」は、ソケットが容器１０の外部から視認されないような方法で成形され得る。さらに、蓋「Ｌ」は、ピン軸受け突起１０２ａ、１０２ｂが蓋「Ｌ」の外面と同一平面にあることができるように凹部１１０ａ、１１０ｂがその内部に形成されるような方法で成形され得る。
【００９４】
さらに、蓋「Ｌ」の後端縁１１２の形状及びカラー８４の上側後端縁１０４の形状は、蓋「Ｌ」が完全に開封された場合に蓋「Ｌ」が例えば１２０°といった特定の角度でカラー８４の上側後端縁１０４によって支持されるような方法で設計され得、したがって、ユーザは、蓋「Ｌ」の存在によって制限されることなく容器１０の内容物にアクセスすることができる。図２において示される特定の実施形態において、各突起がピンを軸受けする２つの突起と、２つのソケットとが使用され得る。
【００９５】
先の好ましい実施形態並びにそれらの変更例及び変形例のいずれか及び全ては、容器１０の多くの追加的に意図される構成に全部又は一部において組み込まれてもよい。同様に、多くの次に述べられる適応例、変形例、及び、変更例が、先の実施形態の全てを、単独で、部分的に、及び、組み合わせて使用することを意図している。図１から図１５を継続して参照し、また、ここで図１６から図２２を参照すると、本発明に記載の密封容器の他の構成が、一般に参照符号２１０によって示されて特定され、先に記載された機構、部品、並びに、本発明の変更例及び変形例のいずれか又は全てを組み込んで使用することを受け入れ得る。
【００９６】
他の実施形態と同様に、密封容器２１０は、内部空間「Ｉ」をともに画定する上壁２１２と、底壁２１４と、前壁２１６と、後壁２１８と、第１の側壁２２０と、第２の側壁２２２とを含む。本発明の他の実施形態と同様に、壁は、内面及び外面と上側部分及び下側部分によって画定されている。前壁２１６は、内面２１６ａと、外面２１６ｂと、上側部分２１６ｄと、下側部分２１６ｅとを含む。後壁２１８は、内面２１８ａと、外面２１８ｂと、上側部分２１８ｄと、下側部分２１８ｅとを有する。第１の側壁２２０は、内面２２０ａと、外面２２０ｂと、上側部分２２０ｄと、下側部分２２０ｅとを画定している。第２の側壁２２２は、内面２２２ａと、外面２２２ｂと、上側部分２２２ｄと、下側部分２２２ｅとを含む。
【００９７】
ここで、図２９から図３１及び図３４から図３６も参照すると、容器２１０の蓋が、アセンブリの一部の別個の部品であってもよく、また、上壁２１２の一部と、前壁２１６の上側部分２１６ｄと、後壁２１８の上側部分２１８ｄと、第１の側壁２２０の上側部分２２０ｄと、第２の側壁２２２の上側部分２２２ｄとして形成されて含んでもよいことが理解される。
【００９８】
描かれた蓋の他の構成は、本明細書において参照文字「Ｄ」によって一般に言及されている。蓋「Ｄ」は、以下に参照文字「Ｄｉ」によって言及される内面を有する（図３０から図３１）。蓋はまた、以下に参照文字「Ｄｅ」によって指定される外面も有する。蓋「Ｄ」はまた、本発明の実施形態の先の説明において記載されているように、容器２１０の積み上げを可能とするように底壁２１４の機構と協働するように成形されてもよい。これを使用することを意図して且つ他の先に及び後に述べられる本発明の実施形態として、蓋「Ｄ」は、ヒンジ式に、回転可能に、及び／又は、回動可能に本発明の容器に接続される別個の部品として示されている。さらにより好ましくは、蓋「Ｄ」は、本発明の実施形態の変形例に組み込むために後述されるカラーに接続されてもよい。
【００９９】
代替のヒンジ２２４は、後壁２１８の上側部分２１８ｄに蓋「Ｄ」を取り付けてもよい。先に記載されたヒンジのいずれかが、密封容器２１０によって意図された実施形態に組み込まれるとともに、様々な図面において示されるような変更された機械的ヒンジ２２４が、先のヒンジのいずれかと組み合わせて交換又は作動するように組み込まれてもよい。
【０１００】
密封容器２１０の変更された変形例は、先に記載されて図１６から図１９及び図２１において示されたもの等の握り機構を組み込んでもよく、前壁２１６は、ユーザの左手親指によって容器２１０を握る又はつかむことを可能とするように配置された凹部２２６ａを有する。後壁２１８はまた、ユーザの左手の指によって容器２１０をつかむことを容易とするように配置された凹部２２６ｂを有する。凹部２２６ａは、さらに、ユーザの親指を配置するための凹部２６ａの正確な位置を示すために追加の凹部２２７ａを有することができる。凹部２２７ａは、凹部２２６ａよりも領域が小さい。凹部２２７ａは、形状として円形が好ましいが、他の形状もまた許容することができる。凹部２２６ｂは、さらに、ユーザの所望の指の配置のための凹部２２６ｂにおける正確な位置を示すために追加の凹部２２７ｂを有することができる。凹部２２７ｂは、凹部２２６ｂよりも領域が小さい。凹部２２７ｂは、形状として円形が好ましいが、他の形状もまた許容することができる。図１６から図１９において、凹部２２６ａ及び２２６ｂは、容器２１０の第１の側壁２２０に隣接して配置されている。しかしながら、変形例（図示せず）は、反対側の第２の側壁２２２に近接した凹部の追加及び／又は交換によって補完される凹部を組み込む。
【０１０１】
ここで、図１３、図２０から図２１、図２３、及び、図２６もまた参照する。プルタブ２８ａを有する略水蒸気不浸透性、酸素不浸透性シール２８は、本発明の好ましい実施形態の先に記載された変形例に関連して説明したように、壁２１６、２１８、２２０、２２２の上側部分２１６ｄ、２１８ｄ、２２０ｄ、２２２ｄの端縁に近接した位置に添着される。
【０１０２】
ここで、図３０から図３３を参照すると、蓋「Ｄ」の内面「Ｄｉ」に取り付けられるものは、先に記載された掬い匙ホルダー３０及び掬い匙３２である。掬い匙３２の先の実施形態に対する変形例は、一体的にその上に形成された補強材３４ｂを有する強化された取っ手３４を含む。さらに、ホルダー３０の第１のブラケットボウルカバー３０ａは、所定の最大寸法まで外側に突出していてもよく、これにより、容器１０、２１０の異なる量の内容物を分配する場合に、異なる体積のボウル３６を有する複数の掬い匙３２が便宜を最大化するように組み込まれ得る。
【０１０３】
図１６から図１９、図２０から図２２、及び、図２６を参照した先の実施形態のいずれかに対する他の好ましい又は任意の変形例において、容器２１０は、先に記載された実施形態に対する構造と同様の桶状の貯蔵部２８０から形成されてもよいが、また、上端部２８２を有する壁１６、１８、２０、２２の上側部分１６ｄ、１８ｄ、２０ｄ、２２ｄを組み込んでもよい。上端部２８２は、内部空間「Ｉ」に対する開口を画定する内端縁２８６を有する密封フランジ２８４を画定している。
【０１０４】
さらなる好ましい構成において、不浸透性シール２８は、開口を閉塞して密封するように上端部２８２の周囲に固定され、密封フランジ２８４に着脱自在に添着されている。密封フランジ２８４上への不浸透性シール２８の組み立て及び配置中における正確さ及び便宜を改善するために、任意のスナップビーズ２８８（図２３及び図２６）が、密封フランジの下方において上端部２８２に形成されてもよい。
【０１０５】
そのようなスナップビーズ２８８は、不浸透性シール２８を適所に保持するように容器の外周囲に取り付けられず、且つ接着剤、ヒートシール、又は、他の手段によって取り付けられ得るように心出しされた不浸透性シールの端縁に接触する、棚及び／又は台座として使用され得る。
【０１０６】
過去において、接着ステップが密封フランジ２８４に対して不浸透性シール２８を接着、溶融、又は、添着する前に、多くの容器がシールの誤配置に起因して不適切に密封されていた。本発明の任意の実施形態の追加の変形例はまた、強化ブリッジ２９２、下側台座リブ２９４、及び、上側取っ手出っ張り又は下側に面する上面２９６によって横方向に分離されて画定された１つ以上の係合凹部又は窪み２９０等の機構を改善するアセンブリを含んでもよい。
【０１０７】
間隔をあけて配置されたブリッジ２９２の構成は、貯蔵部２８０の上端部２８２に対して改善された強度及び剛性能力を与え、順次、カラー３００が貯蔵部２８０とともに嵌合された場合に、容器のクリップリング強度及び上端部２８２の剛性を改善する。先の実施形態のいずれかに対するさらに好ましい又は任意の変形例は、特に図１６から図２１、図２４から図２８を参照して最も良好に図示され得る変更されたカラー３００を含んでもよい。カラー３００は、略Ｊ字状及び／又はＵ字状の横断面構成を有して形成されていてもよい。様々な図面に関して、典型的なカラー３００は、逆さまのＵ字状及び／又はＪ字状を有することがわかる。
【０１０８】
カラー３００は、カラー３００を強化するために必要に応じて増加する厚みを有することができる略丸い部分３０４を接合するように上側に延在している、外部に又は外側に面する長い壁３０２を含む。図示されるＪ字状の部分の小さい相対半径は、より高い横断面慣性モーメントを介して優れた応力分布及び負荷力伝達経路を可能とし、強化されてより強いカラーをもたらす。長い壁３０２はまた、壁２１６、２１８、２２０、２２２の上側部分２１６ｄ、２１８ｄ、２２０ｄ、２２２ｄの一部を形成する。
【０１０９】
丸い部分３０４は、内部に又は内側に面する短い壁３０６を形成するように、さらに且つ下側に延在している。より好ましくは、丸い部分３０４は、カラー３００上に閉塞された場合に位置合わせ及び蓋「Ｄ」の最も外側の端縁３４８の改善された係合を可能とする縁台座３０５を有するように形成されている。例えば、図２５から図２６を参照されたい。
【０１１０】
カラーはまた、好ましくは、窪み２９０の横方向の空間に対応するように横方向に間隔をあけて配置された係合取っ手又は屈曲クリップ３１０を組み込んでもよい。屈曲クリップ３１０は、上側に面する表面及び／又は固定具の面３１２を組み込み、任意に強化リブ３１４も含んでもよい。組み立て中に、カラー３００は、屈曲クリップ３１０によって心出しされて位置合わせされ、これにより、オーバーキャップを取り付けるように及び／又は桶状の貯蔵部２８０の上端部２８２上に設置されるように配置され、したがって、屈曲クリップ３１０は、カラー３００が上端部２８２を越えて下降するのにともない外側に僅かに曲がる。
【０１１１】
屈曲クリップ３１０が窪み２９０と並置関係に移動されると、屈曲クリップ３１０は、公称配置に戻って適所に嵌め込み、したがって、固定具の面３１２は、貯蔵部２８０上にカラー３００をかみ合わせるように、下側に面する上面２９６と接触する。このような方法で、カラー３００は、捕捉されて摩擦嵌めされ、屈曲クリップ３１０は、桶状の貯蔵部２８０と係合関係となる。外側に面する長い壁３０２の底端部３０３（図２６）は、一般に、貯蔵部２８０の下側台座リブ２９４に寄りかかり、本発明の他の機構とあいまって、増加した強度及び剛性を可能とする。
【０１１２】
横方向に間隔をあけて配置された窪み２９０及びブリッジ２９２は、公称用途を受けた場合に、カラー３００と良好な剛性特性を有する貯蔵部２８０との間に良好に分布された負荷界面を形成する。さらに、横方向に間隔をあけて配置されたブリッジ２９２は、組み立てられたカラー３１０及び貯蔵部２８０の組み合わせのクリップリング（ｃｒｉｐｐｌｉｎｇ）強度を非常に改善することが見出されている。これらの機構は、容器２１０の上側部分又は上端部２８２にカラー３００を保持するように屈曲クリップ３１０の捕捉及び固定能力と結合し、これにより、カラー３００が容器の開口に対して略固定された位置のままであるように横方向にカラー３００を安定させる。
【０１１３】
本発明の実施形態のいずれかに対するさらに好ましくて任意の変更例において、複数の窪み２９２及び複数の間隔をあけて配置された屈曲クリップ３１０は、カラー３００が上端部又は部分２８２上に嵌合された場合に密封可能な容器１０、２１０の剛性及び構造上の安定性を高めるように対間において連結する負荷力を形成するために、貯蔵部２８０にわたって反対の位置に対とされるようにさらに配置される。この反対側の又は突き合わされた対は、容器の直径、幅、及び／又は、深さ寸法と等しい距離を有する一連の連結されたモーメントアームベクトルを形成し、容器１０、２１０全体の負荷分布を非常に改善し、その構造上の安定性を高める。
【０１１４】
さらにまた、これらの新規な機構は、他の許容範囲にない公差及びカラー３００と貯蔵部２８０の上側部分又は上端部２８２との間の部品の不一致を克服し、不合格部品を非常に低減し、大幅に製造コストを低減する、予想外の構成をもたらしたことが見出されている。より具体的には、貯蔵部２８０の下側に面する表面又は上側取っ手出っ張り２９６よりも寸法的に小さいように、上側に面する表面又は固定具の取っ手３１２を組み込むことが任意で好ましい。
【０１１５】
１つの態様において、この寸法構成は、固定具の取っ手又は上側に面する表面３１２が、係合凹部又は窪み２９０内に且つ上側取っ手出っ張り又は下側に面する表面２９６まわりに移動することを可能とすることができる。これは、これらの部品の組み合わせが、寸法許容誤差を吸収することを可能とすることができ、カラーが容器の上側部分周囲に嵌合することを可能とすることができる。さらにより好ましくは、少なくとも１つのカラー３００及び壁２８２の上端部又は一部は、少なくとも１つのカラー及び壁の上側部分が屈曲することを可能とするポリエチレン又はポリプロピレンのような高分子材料等の略柔軟性のある材料から形成されている。
【０１１６】
柔軟性は、寸法許容誤差の吸収を可能とし、カラーが容器の上側部分の周囲に嵌合することを可能とする。また、これは、少なくとも１つのカラー３００及び壁の上側部分又は端部２８２が屈曲し、カラーが壁の上側部分の周囲に嵌合することを可能とするように、少なくとも１つのカラーと壁の上側部分との間の形状の不一致に適合することを可能とすることができる。
【０１１７】
組み立ての際に、カラー３１０及び貯蔵部２８０の上端部２８２は、副カラー空間３２０（図２６）を形成している。カラー３００の他の任意に好ましい構成において、隆起した台座３２５は、他の要素が短い壁に取り付けられることがある用途のために短い壁３０６のより大きな厚みを形成するように、内側に面する短い壁３０６に形成されてもよい。１つの特に好ましい任意の実施形態において、柔軟性のあるポリマー製のガスケット又はシール３３０は、短い壁３０６に添着されてもよく、より好ましくは、隆起した台座３２５に取り付けられ得る。さらにより好ましくは、柔軟性のあるガスケット３３０は、接着剤によって短い壁３０６及び／又は隆起したステップ３２５に添着されてもよく、又は、短い壁３０６及び／又は隆起したステップ３２５上に直接射出成形されてもよい。
【０１１８】
この特定の例において、隆起した台座３２５はまた、カラー３１０が形成される又は成形されるのにともない熱成形されてもよく、又は、隆起した台座３２５は、ガスケット３３０が取り付けられる前に起こり得る第２の及び／又は別個の熱成形ステップにおいて形成されてもよい。さらに、隆起した台座３２５は、ガスケット３３５が取り付けられるのと同時に又は略同時のステップにおいて形成されてもよい。柔軟性のあるガスケットは、好ましくは、内端縁３３２によって内側に且つ内部に延在している。
【０１１９】
好ましくは、柔軟性のあるガスケットは、図２３及び図２８において示されるように、内側に又は内部に突出し、密封フランジ２８４に着脱自在に寄りかかるように寸法取りされる。より好ましくは、柔軟性のあるガスケット３３０は、改善された密封構成のために密封フランジ２８４に対して付勢されるように僅かに下側に突出している。さらにより好ましくは、柔軟性のあるガスケット３３０は、密封フランジ２８４の内端縁２８６を越えて内端縁３３２を突出するように内部に又は内側に延在している。この構成に関して、副カラー空間３２０は、内部空間「Ｉ」の内容物が副カラー空間３２０に侵入することを防止するように内部空間「Ｉ」から密封される。そのように防止されない場合には、不都合が存在し、副カラー空間３２０内に漏出する内容物は、外側に面する長い壁３０２の下端部と下側台座リブ２９４（図２６）との間に存在することがある任意の隙間を通って移動することによって、容器２１０の外側にさらに漏出することがある。
【０１２０】
特に図２０、図２３、及び、図２６に関して、当業者は、不浸透性シール２８がガスケット３３０と密封フランジ２８４との間に（且つガスケット３３０の下方に）着脱自在に挟持されることを理解することができる。プルタブ２８ａが握られて不浸透性シール２８が容器２１０の内容物を露出するように取り外された場合に、柔軟性のあるガスケット３３０は、不浸透性シール２８の取り外しを可能とするように密封フランジ２８４への寄りかかり位置から離れて屈曲する。不浸透性シール２８が取り外されるのにともない、柔軟性のあるガスケット３３０は、密封フランジ２８４への寄りかかり位置に戻る。この構成は、エンドユーザに対する流通用のより強固な密封性の不浸透性シール２８を可能とし、エンドユーザは、最初の使用時にシール２８を取り外し、内容物の漏出を防止又は最小化するように密封壁及びガスケット３３０の利益をさらに享受する。
【０１２１】
多くの可能なタイプの材料は、ガスケット３３０の製造への使用に適している。適切な材料の１つの実例は、約５０のデュロメーター強度を有する熱可塑性エラストマー又は他の同様のＡグレードのショア硬度の材料等の薄い高分子材料を含み、したがって、不浸透性シール２８は、柔軟性のあるガスケットが密封フランジ２８４に対して付勢されて密封配置位置に戻るように若干の形状記憶を保持することをなお可能としながら容易に取り外され得る。任意に好ましい用途のために、Ｓａｎｔｏｐｒｅｎｅ等のＡグレードのショア硬度の材料及び同様の化合物が満たしていることが見出されており、容易に内側に面する短い壁３０６及び／又は隆起した台座３２５上に直接熱成形又は射出成形され得る。
【０１２２】
本発明の実施形態のいずれかに対する他の同様に好ましくて任意の変形例において、ガスケット３３０は、カラー３００の一部として一体的に形成されてもよく、カラー３００から成形されてカラー３００の内面から延在している柔軟性のある薄い材料からなるフラップである。実施形態のいずれかに対するこの意図された変更において、他の選択のうち、隆起した台座３２５は、ガスケット３３０として内側に突出するように形成され得る。
【０１２３】
容器１０、２１０の好ましい実施形態に対する他の変更例は、図３０から図３６において示される蓋「Ｄ」等の変更された取り外し可能な蓋を組み込んでもよい。取り外し可能な蓋「Ｄ」によって意図される新規な変形例は、好ましくは、蓋「Ｄ」が閉塞された場合に内部空間「Ｉ」に対する開口を被覆して密封するように寸法決めされた内面「Ｄｉ」を画定している。蓋「Ｄ」は、その内面「Ｄｉ」に従属し且つ密封フランジ２８４の方に突出し且つ任意に好ましい位置合わせ及び／又は壁リブ３４１（図３０から図３１）を含むことによって心出しされて位置合わせされている、密封壁３４０を組み込んでいる。
【０１２４】
この構成に関して、蓋「Ｄ」が容器２１０を密封するようにカラー３００に閉塞された場合に、密封壁３４０が密封フランジ２８４の内端縁２８６に接触して柔軟性のあるガスケット３３０を押し下げて付勢し、容器内部「Ｉ」から副カラー空間３２０を密封するように、ガスケット３３０、密封壁３４０、及び、密封フランジ２８４が寸法取りされて配置されている。ガスケット３３０の柔軟性及び形状記憶及び強度はまた、蓋「Ｄ」の繰り返される開閉並びに密封壁３４０の移動によるガスケット３３０の付勢及び非付勢に耐えなければならず、したがって、柔軟性のあるガスケットは、密封フランジ３８４に対して付勢されて配置されたままである。これらの密封壁３４０の位置の任意に好ましい変形例は、図２６において示される密封壁３４０の実線及び破線表示によって示されることを意図している。
【０１２５】
密封壁３４０の任意の可能な好ましい位置において、下側に突出している下端縁３４２の長さ及び／又は位置は、蓋「Ｌ」又は「Ｄ」が閉塞位置にある場合に、下端縁３４２が、ガスケット３００のちょうど上で終端することができ、ガスケット３００に対して付勢することができ、及び／又は、ガスケット３００に対して付勢してガスケット３００を下側に押し下げることができ、したがって、ガスケット３３０が密封フランジ２８４に対して順次付勢されるように所望により調節可能である。先の実施形態に対するさらなる代替変形例において、柔軟性のあるガスケット３３０が、隆起した台座３２５の代わりに密封壁３４０に取り付けられてもよい。さらなる変形例において、第２のガスケット（図示せず）が、単独で、及び／又は、隆起した台座３２５に取り付けられた柔軟性のあるガスケット３３０に加えて、及びガスケット３３０と協働して密封壁３４０に取り付けられてもよい。
【０１２６】
好ましい実施態様の変形例のいずれかに対するさらに他の変更例において、密封壁３４０は、ガスケット３３０の使用の有無にかかわらない機能に実装されてもよく、図２７及び図２８において示されるもののような集まった下端縁３４２を含んでもよい。図２７において、集まった下端縁３４２は、内側に湾曲した及び／又は内側に先細りした密封壁３４０ａを含む。図２８において、集まった下端縁３４２は、内側に傾斜した及び／又は先細りした密封壁３４０ｂを組み込んでいる。傾斜した及び／又は湾曲して先細りした壁３４０ａ及び３４０ｂの組み合わせもまた意図され、単独で、及び／又は、本明細書において他の場所に図示された柔軟性のある及び／又は一体的なガスケット３３０と組み合わせて使用され得る。特に、ガスケット３３０を使用していない実施形態において、密封壁３４０は、蓋「Ｄ」が閉塞された場合に密封壁３４０が密封フランジ２８４の内部に残るように寸法取りされてもよい。
【０１２７】
先の実施形態に対するさらなる好ましい変形例において、蓋「Ｄ」は、より好ましくは、密封壁３４０よりも小さい寸法を有する略ドーム状の中央部分３４４を含む。ドーム状の中央部分は、密封壁によって、角をなす壁３４６によって、及び、その組み合わせによって蓋に接合されており、角をなす壁３４６は、ドーム状の中央部分から密封壁３４０に近接する内面「Ｄｉ」まで下方に先細りしている（図３４から図３６）。それに対する先に述べられた実施形態及び変更例と同様に、変更された蓋「Ｄ」は、容器２１０の容易な積み上げを可能とするように、底壁１４の形状と協働する全体形状を有して構成される。密封壁３４０及び角をなす先細りした壁３４６の接点に近接して、カラー係合部材は、一般に、カラー３００の先台座３０５内に固定して係合する先端縁３４８まで下側に突出しており、したがって、蓋「Ｄ」が閉塞された場合に、カラー３００及び蓋「Ｄ」のより堅固でしっかりと閉塞したアセンブリが形成される。
【０１２８】
適応例において、略ドーム状の中央部分３４４は、密封壁３４０のみによって接続されており、基本的に、先細りした角をなす壁３４６は、約９０°の垂直方向に対する角度を有するように密封壁３４０と結合する。先細りした角をなす壁３４６は、他の変形例において、約１０°から約７５°、好ましくは約１５°から６０°、より好ましくは約２５°から４５°、さらにより好ましくは約３０°の垂直方向に対する角度を有するように配置されている。好ましくは密封壁まで延在している略ドーム状の中央部分３４４は、取り外し可能な蓋によって画定される全体領域よりも約２０パーセントから約８０パーセント小さい領域を画定するように寸法取りされる。さらに、略ドーム状の中央部分３４４は、理想的には不浸透性シール２８の上に掬い匙を収容するように、累積的な蓋の高さの約１０パーセントから約６０パーセントの高さ寸法を有して上方に突出している。
【０１２９】
これらの略ドーム状の蓋の変形例は、密封可能な容器２１０が粉末状の内容物をその内部に含んだ状態で使用中である場合に重要であることが見出されている。逆さまでひっくり返されながら親のオムツ用バッグ内に運ばれた場合や倉庫から店舗まで出荷された場合等、容器２１０が輸送中に押されてひっくり返された場合に、粉末状の内容物は、集合して、蓋「Ｄ」の内面「Ｄｉ」の一部に寄りかかっている小さい山に固められることがある。そのような向きが乱れた容器が元に戻された場合に、角をなす壁３４６及び密封壁３４０は、集合して及び／又は固められた内容物を蓋「Ｄ」の内面「Ｄｉ」から離すようにより容易且つ効率的に協働し、したがって、固められた又は集合した内容物は、容器２１０の内部空間「Ｉ」内に自由に落ちる。
【０１３０】
多くの要因が、蓋「Ｌ」又は「Ｄ」内に固められた粉末の不都合な堆積を作り出すのに寄与することができる。関連技術における当業者は、大抵は、粒子の大きさ及び分布、凝集性、静電荷、表面コーティング、圧縮から回復する能力、温度、湿度、通気性、輸送経験、及び、容器表面効果を含む多くの変数の関数である粉末状材料の流動性を特徴付ける。本発明の原理にかかる容器の製造業者及びユーザに直面する非常に多くの粉末流動性の特徴にさらに関して、本発明の新規な角をなす及び／又は先細りした壁３４６が、単独で、また、本明細書において記載された他の粉末制御機構と組み合わせて、容器１０、２１０を元に戻すときに粉末状の内容物を導いて内部空間「Ｈ」内に戻す新規で以前には未知の手段を形成することが見出されている。
【０１３１】
密封フランジ２８４に対して付勢されて配置される柔軟性のあるガスケット３３０の構成は、内部空間「Ｉ」内に内容物を導いて戻すとともに、内容物が副カラー空間３２０に侵入することをほとんど又はそうでなければ完全に防止するようにさらに協働する。さらに、密封フランジ２８４の内端縁２８６を越えて内側に延在している柔軟性のあるガスケット３３０及びその内端縁３３２の構成はまた、内容物を副カラー空間３２０から離れて内部空間「Ｉ」内により良好に導く役目を果たす。また、粉末を導く能力は、単独で、及び／又は、直線状の、集まった、湾曲した、及び、傾斜した密封壁３４０の上述した変形例と組み合わせて使用されるかどうかにかかわらず、柔軟性のある及び一体的なガスケット３３０の任意の組み合わせによってさらに組み込まれ得る。
【０１３２】
本明細書において記載されたように粉末制御機構が実装される本発明の実施形態のいずれかにおいて、重要な効果は、粉末状で粒状の内容物が蓋「Ｌ」及び「Ｄ」の内面「Ｌｉ」及び「Ｄｉ」から離れて内部空間「Ｈ」内に落とされて副カラー空間３２０に侵入するのが防止されることを保証することによって達成される。
【０１３３】
先の実施形態及びその変形例と関連して上述されたように、一体ヒンジ又は機械的ヒンジは、蓋「Ｄ」をカラー３００にヒンジ式に及び／又は回動可能に取り付けるように使用され得る。図２３及び図３０を参照すると、その他に、機械的ヒンジの構成が、先に記載された実施形態よりもさらに離れているヒンジ分離部又はホイールベースを有するヒンジ２２４を含むことができるのがわかり、その強度を改善することができる。他の可能な好ましい機械的ヒンジは、開閉位置間において蓋「Ｄ」の摩擦的な歯止めを可能とする協働緊張緩和部及び係合隆部を有するピンで留められたヒンジを含むことができ、内容物が内部空間３２０から取り除かれながら蓋「Ｄ」が落ちて閉塞することを防止する。
【０１３４】
本発明の好ましい実施形態の意図された他の変形例において、容器２１０の貯蔵部２８０は、密封された容器２１０の高度の変化に起因する外部の圧力変化を補償する手段を組み込むようにさらに変更される。通常、容器２１０は、不浸透性シール２８によって密封され、これにより、内部空間「Ｉ」の圧力は、変化しないままである。しかしながら、売り物になる内容物で満たした後の容器２１０の流通は、満たされた容器２１０が広く変動する圧力変化を経験するという可能性を作り出す。そのような変化は、不浸透性シール２８の破壊又は破裂をもたらすことがある。より強い圧力抵抗シール２８は、ユーザが不浸透性シール２８を開封するのに十分な強度を有していないことがあるために望ましくないことがある。
【０１３５】
したがって、図１７から図１８及び図３７からわかるように、貯蔵部２８０の底壁２１４の底面２１４ａは、容器２１０がテーブル又は調理台等の平坦面上の水平位置に置かれることを可能とするように構成された外側の平面部３５２を有して形成された、ステップ付き又は中央が隆起したステップ付き又は補強部３５０から形成された圧力制御部を組み込んでもよい。
【０１３６】
圧力制御部はまた、中央隆起補強部３５０と称される。用語「補強材」の単純な意味に反して、このフレーズは、限定されない例として、柔軟性のある及び／又は折り畳み式の圧力逃がし部に組み込まれ得且つこれを含むことができる機構に言及する。
【０１３７】
内部空間「Ｉ」の方に延在して、中央隆起ステップ付き又は補強部３５０は、蹴上げ部３５６及び踏み部３５８を有する複数のステップ３５４を含む。蹴上げ部３５６は、望ましくは、外側の平面部３５２に略平行な踏み部３５８とともに外側の平面部３５２に対して略上側方向に突出している。
【０１３８】
より好ましくは、蹴上げ及び踏み部３５６、３５８から形成されたステップ３５４は、１つ又は全てのステップの漸進的な折り畳みによって漸進的な圧力減少をともに可能とすることができる、３個、４個、５個、又は、それ以上もしくはそれ以下のステップを形成することができ、したがって、内部空間「Ｉ」における圧力は、等しくない圧力を補償して内部空間「Ｉ」と外部の大気との間におけるいかなる圧力をも小さくするために低下することができる。このような方法で、海面レベルの工場で容器１０、２１０のような容器が内容物で満たされ、航空機又は高い高度の陸路を介して容器が出荷された場合には、容器１０、２１０の不浸透性シール２８は、外部圧力を変化させるにもかかわらず損傷を受けていないままとすることができる。あるいは、ステップ３５４は、図１７から図１８、及び、図３７、図３８ａ、図３８ｂ、及び、図３９ａ、図３９ｂにおいて示されるものと同様であり、且つそのような圧力差に晒された場合に潰れることを防止して底壁２１４の変形に抵抗する材料強度を形成する、厚み及び／又はベローズ及び／又は蛇腹状横断面の構造を有するように構成されてもよい。さらにより好ましくは、ステップ３５４は、縮小した横断面厚み（図３８ａ、図３８ｂ）を有してもしくは起伏を誇張する柔軟性のあるベローズもしくは蛇腹もしくはプリーツのあるタイプの部分（図３９ａ、図３９ｂ）を有して形成されたステップ、又は、図１７から図１８、及び、図３７、図３８ａ、図３８ｂ、及び、図３９ａ、図３９ｂにおいて示されるようなステップと組み合わされたステップと同様に、圧力差に晒された場合に潰れ及び／又は変形に抵抗するステップの組み合わせを含む。一般に起伏のあるベローズタイプの外形を有するように図３９ａ、図３９ｂにおいて示されているが、より三角形又はプリーツのある起伏構成もまた、任意に組み込まれてもよい。
【０１３９】
最も好ましくは、起伏のあるベローズ構成（図３９ａ、図３９ｂ）は、蓋「Ｄ」又は「Ｌ」と底壁１４によって画定される凹部との間の協働形状を維持することにより、積み上げ可能な能力を保持することができる。このステップ３５４の柔軟性及び／又はベローズの適応は、好ましくは、内部空間「Ｉ」又は「Ｈ」の方に内側に延在する傾斜線３６０（図３９ａ、図３９ｂ）の湾曲に一般に続くことによって先の構成の積み上げ可能な間隙及び空間を保持し、したがって、ステップ３５４の一部のいかなる屈曲又は潰れをも、積み上げに対する不利益なしで一部又は全ての圧力差を軽減する。これらのステップ付きの構成は、図３８ａ、図３８ｂのより柔軟性のある縮小した厚みの変形例と同様に、単独で又は図１７から図１８の構成の１つ以上と組み合わせて使用されてもよい。これらの代替構成のいずれかに関して、ステップ３５４は、圧力変化に起因して容器１０、２１０上のいかなる応力をも適合及び／又は低減することを意図した圧力差に応答して、潰れる又は屈曲するように任意に又は好ましくは構成されてもよい。
【０１４０】
本明細書で図示された複数のステップ付き構成に関して、１つ以上のステップ３５４の潰れは、好ましくは、一般に水平な外側の平面部３５２を越えて膨張する中央ステップ付き部３５０をもたらさない。そのような圧力差は、高度の変化なしであっても経験する可能性がある。例えば、本明細書における他の場所に記載されたように、本発明の容器は、オムツ用バッグ内に創作性のあるものを携行している親による移動中と同様に、商業の運送業者による出荷中に外部の圧縮圧を受けることがある。
【０１４１】
容器１０及び２１０の部品の材料は重要ではない。しかしながら、容器の部品用の所定の材料は、例えば、製造の考慮、経済上の考慮、及び、消費者の考慮のような考慮の理由で好ましい。桶状の貯蔵部は、通常、複数層の材料を含み、複数層の材料は、内層、外層、及び、内層と外層との間の粉砕再生層を含む。
【０１４２】
そのような複数層の材料は、２００４年８月１９日に公開された米国特許出願公開第２００４／０１６１５５８号明細書に記載されている。カラー８４及び蓋「Ｌ」を備えるアセンブリは、通常、例えば、ポリプロピレンや高密度ポリエチレン等の高分子材料を含む。掬い匙は、通常、ポリプロピレンや高密度ポリエチレン等の高分子材料を含む。
【０１４３】
動作
使用時に、容器１０又は２１０は、拡張握り凹部２６ａ、２６ｂ、２７ａ、２７ｂ、２２６ａ、２２６ｂ、２２７ａ、２２７ｂを使用して片手で握られる。そして、容器１０、２１０は、ラッチ５４の作動によって開封され、必要に応じて、新規な容器について、不浸透性シール２８は、プルタブ２８ａを握り、密封フランジ２８４から離れるようにシール２８を引っ張ることによって取り外される。次に、ユーザは、容器１０、２１０の蓋「Ｌ」又は「Ｄ」から掬い匙３２を取り出して内容物を掬い取って分配するために、彼又は彼女の空いている手を使用する。ユーザは、ボウル３６がブラケット３０ａによって被覆されたことから、掬い匙３２から粉末が漏出する不都合を回避する。さらにまた、開封前に蓋「Ｌ」又は「Ｄ」に置かれることがあるいかなる粉末状のコンテンツも、副カラー空間３２０から離れて分配用に準備したままである内部空間「Ｈ」内に導かれた。容器１０及び掬い匙３２は、容器の内容物の所定の体積又は一部を取り除くためにユーザが便利に掬い匙３２を使用することを可能とするシステムとしてともに協働する。
【０１４４】
掬い匙３２が使用された後、掬い匙３２は、掬い匙が使用されることになるその後の全ての場合のために、蓋「Ｌ」上の掬い匙ホルダー３０に再度取り付けられ得る。そして、蓋は閉塞され、粉末をその内部に保護する。したがって、粒状又は粉末状の製品は、こぼされず、浪費されず、又は、ユーザの手と接触することによって汚染されない。
【０１４５】
産業上の利用可能性
本発明の実施形態は、粉末や粒状材料等の流動性を有する物質の製造、流通、保存、販売、及び、使用を含む多くの用途における使用に適している。創作性のある容器の構成は、そのような材料のほとんど任意の考えられるタイプに適合するように変更され得、また、使用、保管、製造、流通、及び／又は、販売環境の好ましい態様と同様に、流動性を有する材料の特定のタイプ又は量に適合することが必要とされてもよいように、新規な容器の機構及び部品の形状、大きさ、及び、配置構成は、本発明の原理にしたがって変更され得る。
【０１４６】
そのような変更及び代替構成は、本明細書において記載されて意図される流動性を有する材料を含むための創作性があって改善された容器の使用に影響を受けやすい、広く様々な可能な用途との互換性を形成することが、さらに好ましい及び／又は任意には望ましいことがある。したがって、そのような本発明の実施形態、代替例、変形例、及び、変更例がほんの僅かだけ記載されて図示されるに過ぎないが、当然のことながら、そのような追加の変更例及び変形例並びにその等価物は、特許請求の範囲において記載された本発明の範囲内にあることが理解されよう。
【０１４７】
他の変形例
本発明のさらなる変形例が以下に記載される。
【０１４８】
［Ａ］内面及び外面と内部空間とを画定する壁であって、内部空間に対する開口を画定する内端縁を有する密封フランジを画定する壁の上端部の近くに上側部分を有する壁と、上側部分の近くの容器周囲に嵌合するように構成された内面を有するカラーであって、容器の外面とカラーの内面との間に副カラー空間を画定するカラーと、閉塞位置の場合に開口を被覆して密封するように構成された内面を有するカラーに搭載された取り外し可能な蓋とを備え、蓋が、その内面に従属して密封フランジの方に突出しており且つ閉塞位置の場合に密封フランジの内側に残るように寸法取りされた密封壁を有し、さらに、密封壁よりも小さい寸法の略ドーム状の中央部分を有し、ドーム状の中央部分から下方に密封壁に近接する内面まで先細りしている角をなす壁によって蓋に接合されており、内容物を有する向きが乱れた容器を元に戻すときに、角をなす壁及び密封壁が、容器の内部空間内に下方に蓋の内面に接触して固められた内容物を導いて副カラー空間内に侵入することを略防止するように協働する、密封可能な容器。
【０１４９】
［Ｂ］さらに、カラーから担持され且つ密封フランジに対して付勢されるように寸法取りされた柔軟性のあるガスケットを備え、蓋が閉塞位置にある場合に、密封壁が密封フランジの内端縁に対して柔軟性のあるガスケットを付勢して容器内部から副カラー空間を密封するように、ガスケット、密封壁、及び、密封フランジが寸法取りされており、これにより、柔軟性のあるガスケットが、さらに、容器の内部空間内に固められた内容物を導いて副カラー空間内に侵入することを略防止するように角をなす壁及び密封壁と協働する、［Ａ］に記載の密封可能な容器。
【０１５０】
［Ｃ］ガスケットが、カラーの内面に取り付いて従属しており、密封フランジの内端縁を越えて内側に延在している内端縁を有し、蓋が開封位置にある場合に、密封フランジに対して付勢されたままとするように配置されており、容器の内部空間内に固められた内容物を導いて副カラー空間内に侵入することを略防止するようにさらに協働する、［Ｂ］に記載の密封可能な容器。
【０１５１】
先細りしている角をなす壁が、約１０°から約９０°の垂直方向に対する角度を有するように配置されている、［Ｃ］に記載の密封可能な容器。
【０１５２】
先細りしている角をなす壁が、約１５°から約７５°の垂直方向に対する角度を有するように配置されている、［Ｃ］に記載の密封可能な容器。
【０１５３】
先細りしている角をなす壁が、約２０°から約６０°の垂直方向に対する角度を有するように配置されている、［Ｃ］に記載の密封可能な容器。
【０１５４】
先細りしている角をなす壁が、約２５°から約４５°の垂直方向に対する角度を有するように配置されている、［Ｃ］に記載の密封可能な容器。
【０１５５】
先細りしている角をなす壁が、約３０°の垂直方向に対する角度を有するように配置されている、［Ｃ］に記載の密封可能な容器。
【０１５６】
［Ｄ］密封壁まで延在している略ドーム状の中央部分が、取り外し可能な蓋によって画定される領域よりも約２０パーセントから約８０パーセント小さい領域を画定している、［Ａ］に記載の密封可能な容器。
【０１５７】
略ドーム状の中央部分が、累積的な蓋の高さ寸法の約１０パーセントから約６０パーセントの高さ寸法で上側に突出している、［Ａ］に記載の密封可能な容器。
【０１５８】
さらに、蓋の内面から突出し且つ略ドーム状の中央部分内に近接して配置された掬い匙ホルダーを備え、掬い匙ホルダーが、カバー及び拘束具を有するブラケットを有し、掬い匙が、ボウルから延在し且つ掬い匙ホルダー内に着脱自在に保持されるように構成された取っ手を有し、掬い匙が掬い匙ホルダー内に保持されている場合に、移動を防止するように拘束具が取っ手を捕捉し、内容物がボウルに侵入することを防止するようにカバーがボウルを密封する、［Ａ］に記載の密封可能な容器。
【０１５９】
掬い匙ホルダーが、内面から延在し且つ握り位置において内面から離れて取っ手を保持する取っ手保持切り込みを有する第１の突起を組み込んでいる、［Ｄ］に記載の密封可能な容器。
【０１６０】
［Ｅ］内面及び外面と内部空間とを画定する壁であって、内部空間に対する開口を画定する内端縁を有する密封フランジを画定する壁の上端部の近くに上側部分を有する壁と、上側部分の近くの容器周囲に嵌合するように構成された内面を有するカラーであって、容器の外面とカラーの内面との間に副カラー空間を画定し、内側且つ密封フランジに対して付勢される方向に突出する一体的なガスケットを有するカラーと、カラーまわりに移動可能であり且つ閉塞位置の場合に開口を被覆して密封するように構成された内面を有する取り外し可能な蓋とを備え、蓋が、その内面に従属して密封フランジの方に突出しており且つ閉塞位置の場合に密封フランジの内側に残るように寸法取りされた密封壁を有し、さらに、密封壁よりも小さい寸法の略ドーム状の中央部分を有し、ドーム状の中央部分から下方に密封壁に近接する内面まで先細りしている角をなす壁によって蓋に接合されており、角をなす壁が、約１５°から約７５°の垂直方向に対する角度を有し、内容物を有する向きが乱れた容器を元に戻すときに、角をなす壁及び密封壁が、容器の内部空間内に下方に蓋の内面に接触して固められた内容物を導いて副カラー空間内に侵入することを略防止するように協働する、密封可能な容器。
【０１６１】
一体的なガスケットが、密封フランジの内端縁を越えて内側に延在している、［Ｅ］に記載の密封可能な容器。
【０１６２】
さらに、開口を横切って延在し且つ一体的なガスケットの下方において密封フランジに取り付いている取り外し可能なシールを備え、一体的なガスケットが、取り外し可能なシールを取り外すことを可能とするように屈曲し、その後に、密封フランジに対する付勢位置に戻る、［Ｅ］に記載の密封可能な容器。
【０１６３】
蓋が、開閉位置間において移動するようにカラーにヒンジ式に接続されている、［Ｅ］に記載の密封可能な容器。
【０１６４】
［Ｆ］密封壁が下端縁に向かって内側に集まっている、［Ｅ］に記載の密封可能な容器。
【０１６５】
密封壁が、（ａ）下端縁に向かって内側に湾曲、（ｂ）下端縁に向かって内側に傾斜、（ｃ）下端縁に向かって内側に湾曲して傾斜、を含む群から選択される幾何形状を有する下端縁に向かって内側に集まっている、［Ｆ］に記載の密封可能な容器。
【０１６６】
［Ｇ］内面及び外面と内部空間とを画定する壁であって、内部空間に対する開口を画定する内端縁を有する密封フランジを画定する壁の上端部の近くに上側部分を有する壁と、上側部分の近くの容器周囲に嵌合するように構成された内面を有するカラーであって、容器の外面とカラーの内面との間に副カラー空間を画定するカラーと、密封フランジに対して付勢されるようにカラーの内面から一般に内側に突出する柔軟性のあるガスケットと、カラーまわりに移動可能であり且つ閉塞位置の場合に開口を被覆して密封するように構成された内面を有する取り外し可能な蓋とを備え、蓋が、その内面に従属して密封フランジの方に突出しており且つ閉塞位置の場合に密封フランジの内側に残るように寸法取りされた密封壁を有し、さらに、密封壁よりも小さい寸法の略ドーム状の中央部分を有し、ドーム状の中央部分から下方に密封壁に近接する内面まで先細りしている角をなす壁によって蓋に接合されており、略ドーム状の部分が、ボウルから延在している取っ手を有する掬い匙を解放可能に保持するように構成されたカバー及び拘束具のブラケットを有する掬い匙ホルダーを組み込んでおり、カバーブラケットがボウルを密封し、拘束具が握り位置において取っ手を固定し、内容物を有する向きが乱れた容器を元に戻すときに、角をなす壁及び密封壁が、容器の内部空間内に下方に蓋の内面に接触して固められた内容物を導いて副カラー空間内に侵入することを略防止するように協働する、密封可能な容器。
【０１６７】
壁が、曲線状の外形を有する接点を形成するように交差しており、掬い匙のボウルが、曲線状の外形に合致する端縁を有するリムを有して形成されている、［Ｇ］に記載の密封可能な容器。
【０１６８】
壁が、角のある外形を有する接点を形成するように交差しており、掬い匙のボウルが、角のある外形に略一致する端縁を有するリムを有して形成されている、［Ｇ］に記載の密封可能な容器。
【０１６９】
先細りしている角をなす壁が、約２５°から約４５°の垂直方向に対する角度を有するように配置されている、［Ｇ］に記載の密封可能な容器。
【０１７０】
［Ｈ］内面及び外面と内部空間とを画定する壁であって、内部空間に対する開口を画定する内端縁を有する密封フランジを画定する壁の上端部の近くに上側部分を有する壁と、上側部分の近くの容器周囲に嵌合するように構成された内面を有するカラーであって、容器の外面とカラーの内面との間に副カラー空間を画定するカラーと、閉塞位置の場合に開口を被覆して密封するように構成された内面を有する、カラーに搭載された取り外し可能な蓋とを備え、蓋が、その内面に従属して密封フランジの方に突出しており且つ閉塞位置の場合に密封フランジの内側に残るように寸法取りされた密封壁を有し、さらに、密封壁よりも小さい寸法の略ドーム状の中央部分を有し、ドーム状の中央部分を内面に接続する密封壁によって蓋に接合されており、内容物を有する向きが乱れた容器を元に戻すときに、密封壁が、容器の内部空間内に下方に蓋の内面に接触して固められた内容物を導いて副カラー空間内に侵入することを略防止するように密封フランジと協働する、密封可能な容器。
【０１７１】
さらに、カラーから担持され且つ密封フランジに対して付勢されるように寸法取りされた柔軟性のあるガスケットを備え、蓋が閉塞位置にある場合に、密封壁が密封フランジの内端縁に対して柔軟性のあるガスケットを付勢して容器内部から副カラー空間を密封するように、ガスケット、密封壁、及び、密封フランジが寸法取りされており、これにより、柔軟性のあるガスケットが、さらに、容器の内部空間内に固められた内容物を導いて副カラー空間内に侵入することを略防止するように密封壁と協働する、［Ｈ］に記載の密封可能な容器。
【０１７２】
ガスケットが、カラーの内面に取り付いて従属しており、密封フランジの内端縁を越えて内側に延在している内端縁を有し、蓋が開封位置にある場合に、密封フランジに対して付勢されたままとするように配置されており、容器の内部空間内に固められた内容物を導いて副カラー空間内に侵入することを略防止するようにさらに協働する、［Ｈ］に記載の密封可能な容器。
【０１７３】
本発明の他の態様は、以下のとおりである。
【０１７４】
［ＡＡ］内面及び外面と内部空間とを画定する壁であって、且つ内部空間に対する開口を画定する壁の上端部の近くに上側部分を有する壁であり、特定の横断面幾何形状を有する接点を画定するように互いに接合しており且つ底面を接合している壁と、ヒンジ式にカラーに取り付けられ且つ閉塞位置の場合に開口を被覆して密封するように構成された内面を有する取り外し可能な蓋と、容器の内部空間から内容物を取り除くための掬い匙とを備え、掬い匙が、壁間及び容器の壁と底面との間における接点の特定の横断面幾何形状に略合致するリムを有するボウルを含む、密封可能な容器及び掬い匙システム。
【０１７５】
壁間及び壁と底面との間における接点の特定の横断面幾何形状が、直角を略形成しており、ボウルのリムが、略合致する部分を含む、［ＡＡ］に記載の密封可能な容器及び掬い匙システム。
【０１７６】
壁間及び壁と底面との間における接点の特定の横断面幾何形状が、曲線状の外形を有し、ボウルのリムが、略合致する部分を含む、［ＡＡ］に記載の密封可能な容器及び掬い匙システム。
【０１７７】
壁間及び壁と底面との間における接点の特定の横断面幾何形状が、直角を略形成しており、ボウルのリムが、略合致する部分を含む、［ＡＡ］に記載の密封可能な容器及び掬い匙システム。
【０１７８】
内面及び外面と一般に立方形の内部空間とを画定する壁であって、且つ内部空間に対する開口を画定する壁の上端部の近くに上側部分を有する壁であり、特定の横断面幾何形状を有する接点を画定するように互いに接合しており且つ底面を接合している壁と、閉塞位置の場合に開口を被覆して密封するように構成された内面を有する取り外し可能な蓋と、容器の内部空間から内容物を取り除くための掬い匙とを備え、掬い匙が、接点に近接する内面に対して付勢された場合に、接点の特定の横断面幾何形状に略合致するように屈曲する略柔軟性のあるリムを有するボウルを含む、密封可能な容器及び掬い匙システム。
【０１７９】
壁間及び壁と底面との間における接点の特定の横断面幾何形状が、半径を有する円形部分を略形成しており、ボウルのリムが、半径に略等しい円形断面を有する部分を含む、［ＡＡ］に記載の密封可能な容器及び掬い匙システム。
【０１８０】
壁間及び壁と底面との間における接点の特定の横断面幾何形状が、半径を有する円形部分を略形成しており、ボウルのリムが、接点に対して付勢された場合に半径に略等しい外形を有するように屈曲する円形断面を有する略柔軟性のある部分を含む、［ＡＡ］に記載の密封可能な容器及び掬い匙システム。
【０１８１】
［ＢＢ］さらに、内部空間に対する開口を画定する内端縁を有する密封フランジを画定する壁の上端部の近くの上側部分と、上側部分の近くの容器周囲に嵌合するように構成された内面を有するカラーであって且つ容器の外面とカラーの内面との間に副カラー空間を画定するカラーと、カラーの内面から担持され且つ密封フランジに寄りかかる（ｒｅｓｔ  ａｇａｉｎｓｔ）ように寸法取りされた柔軟性のあるガスケットとを備え、蓋が閉塞位置にある場合に、ガスケット、密封壁、及び、密封フランジが寸法取りされることにより、密封壁が密封フランジの内端縁に対して柔軟性のあるガスケットを付勢して容器内部から副カラー空間を密封する、［ＡＡ］に記載の密封可能な容器。
【０１８２】
［ＣＣ］ガスケットが、内側に突出しており、密封フランジの内端縁を越えて延在している、［ＢＢ］に記載の密封可能な容器。
【０１８３】
ガスケットが、カラーの隆起した表面に取り付いて従属しており、蓋が開封位置にある場合に、密封フランジに対して付勢されたままとするように配置されている、［ＣＣ］に記載の密封可能な容器。
【０１８４】
さらに、開口を横切って延在し且つ柔軟性のあるガスケットの下方において密封フランジに取り付いている取り外し可能なシールを備え、柔軟性のあるガスケットが、取り外し可能なシールを取り外すことを可能とするように屈曲し、その後に、密封フランジに寄りかかるように元に屈曲する、［ＢＢ］に記載の密封可能な容器。
【０１８５】
蓋が、開閉位置間において移動するようにカラーに回動可能に接続されている、［ＢＢ］に記載の密封可能な容器。
【０１８６】
壁が、略立方形の形状とされた容器を画定している、［ＢＢ］に記載の密封可能な容器。
【０１８７】
［ＤＤ］さらに、内部空間に対する開口を画定する内端縁を有する密封フランジを画定する壁の上端部の近くの上側部分と、上側部分の近くの容器周囲に嵌合するように構成された内面を有し且つ密封フランジ上に配置されるように内面から内側に突出する一体的なガスケットを組み込んでいるカラーであって、容器の外面とカラーの内面との間に副カラー空間を画定するカラーとを備え、蓋が閉塞位置にある場合に、一体的なガスケット、密封壁、及び、密封フランジが寸法取りされることにより、密封壁が密封フランジの内端縁に対して一体的なガスケットを付勢して容器内部から副カラー空間を密封する、［ＡＡ］に記載の密封可能な容器。
【０１８８】
ガスケットが、内側に突出しており、密封フランジの内端縁を越えて延在している、［ＤＤ］に記載の密封可能な容器。
【０１８９】
ガスケットが、カラーの隆起した表面に取り付いて従属しており、蓋が開封位置にある場合に、密封フランジに対して付勢されたままとするように配置されている、［ＤＤ］に記載の密封可能な容器。
【０１９０】
さらに、開口を横切って延在し且つ一体的なガスケットの下方において密封フランジに取り付いている取り外し可能なシールを備え、一体的なガスケットが、取り外し可能なシールを取り外すことを可能とするように屈曲し、その後に、密封フランジに寄りかかるように元に屈曲する、［ＤＤ］に記載の密封可能な容器。
【０１９１】
さらに、内部空間に対する開口を画定する内端縁を有する密封フランジを画定する壁の上端部の近くの上側部分と、上側部分の近くの容器周囲に嵌合するように構成された内面を有するカラーであって、容器の外面とカラーの内面との間に副カラー空間を画定するカラーと、閉塞位置の場合に開口を被覆して密封するように構成された内面を有する取り外し可能な蓋とを備え、蓋が、その内面に従属して密封フランジの方に突出しており且つ閉塞位置の場合に密封フランジの内側に残るように寸法取りされた密封壁を有し、さらに、密封壁よりも小さい寸法の略ドーム状の中央部分を有し、ドーム状の中央部分から下方に密封壁に近接する内面まで先細りしている角をなす壁によって蓋に接合されており、内容物を有する向きが乱れた容器を元に戻すときに、角をなす壁及び密封壁が、容器の内部空間内に下方に蓋の内面に接触して固められた内容物を導いて副カラー空間内に侵入することを略防止するように協働する、［ＡＡ］に記載の密封可能な容器。
【０１９２】
［ＥＥ］さらに、カラーから担持され且つ密封フランジに対して付勢されるように寸法取りされた柔軟性のあるガスケットを備え、蓋が閉塞位置にある場合に、ガスケット、密封壁、及び、密封フランジが寸法取りされ、したがって、密封壁が密封フランジの内端縁に対して柔軟性のあるガスケットを付勢して容器内部から副カラー空間を密封し、これにより、柔軟性のあるガスケットが、さらに、容器の内部空間内に固められた内容物を導いて副カラー空間内に侵入することを略防止するように角をなす壁及び密封壁と協働する、密封可能な容器。
【０１９３】
ガスケットが、カラーの内面に取り付いて従属しており、密封フランジの内端縁を越えて内側に延在している内端縁を有し、蓋が開封位置にある場合に、密封フランジに対して付勢されたままとするように配置されており、容器の内部空間内に固められた内容物を導いて副カラー空間内に侵入することを略防止するようにさらに協働する、［ＥＥ］に記載の密封可能な容器。
【０１９４】
先細りしている角をなす壁が、約２５°から約４５°の垂直方向に対する角度を有するように配置されている、［ＥＥ］に記載の密封可能な容器。
【０１９５】
［ＦＦ］さらに、蓋の内面から突出し且つ略ドーム状の中央部分内に近接して配置された掬い匙ホルダーを備え、掬い匙ホルダーが、カバー及び拘束具を有するブラケットを有し、掬い匙が、ボウルから延在し且つ掬い匙ホルダー内に着脱自在に保持されるように構成された取っ手を有し、掬い匙が掬い匙ホルダー内に保持されている場合に、移動を防止するように拘束具が取っ手を捕捉し、内容物がボウルに侵入することを防止するようにカバーがボウルを密封する、［ＥＥ］に記載の密封可能な容器。
【０１９６】
掬い匙ホルダーが、内面から延在し且つ握り位置において内面から離れて取っ手を保持する取っ手保持切り込みを有する第１の突起を組み込んでいる、［ＦＦ］に記載の密封可能な容器。
【０１９７】
壁が、略立方形の形状とされた容器を画定している、［ＥＥ］に記載の密封可能な容器。
【０１９８】
本発明の他の態様は、以下のとおりである。
【０１９９】
［ＡＡＡ］内面及び外面と内部空間とを画定する壁であって、内部空間に対する開口を画定する壁の上端部の近くに上側部分を有する壁と、内面を有するカラーであって、該内面が容器の外面とカラーの内面との間に副カラー空間を画定するように上側部分まわりの容器周囲に嵌合するように構成されているカラーとを備え、上側部分が、外面上に、内部に突出してブリッジによって間隔をあけて配置されており且つ下側に面する上面を有する複数の窪みを画定し、カラーが、さらに、上側に面する表面を有して形成されて副カラー空間内に下側に従属し、且つ上側に面する表面が下側に面する上面を係合することを可能とする複数の窪みと位置合わせするように並置された複数の間隔をあけて配置された屈曲クリップを含み、これにより、屈曲クリップが、容器の上端部にカラーを保持する、密封可能な容器。
【０２００】
上側に面する表面が、寸法許容誤差を吸収し且つカラーが容器の上側部分の周囲に嵌合することを可能とするように、窪みの下側に面する表面よりも小さく寸法取りされている、［ＡＡＡ］に記載の密封可能な容器。
【０２０１】
少なくとも１つのカラー及び壁の上側部分が、寸法許容誤差を吸収し且つカラーが容器の上側部分の周囲に嵌合することを可能とするように、少なくとも１つのカラー及び壁の上側部分が屈曲することを可能とする略柔軟性のある材料から形成されている、［ＡＡＡ］に記載の密封可能な容器。
【０２０２】
少なくとも１つのカラー及び壁の上側部分が、少なくとも１つのカラーと壁の上側部分との間における形状不一致に適合し、且つカラーが壁の上側部分の周囲に嵌合することを可能とするように、少なくとも１つのカラー及び壁の上側部分が屈曲することを可能とする略柔軟性のある材料から形成されている、［ＡＡＡ］に記載の密封可能な容器。
【０２０３】
少なくとも１つのカラー及び壁の上側部分が、少なくとも１つのカラー及び壁の上側部分が屈曲することを可能とする略柔軟性のある材料から形成されており、上側に面する表面が、寸法許容誤差を吸収し且つ少なくとも１つのカラーと壁の上側部分との間における形状不一致に適合し且つカラーが容器の上側部分の周囲に嵌合することを可能とするように、窪みの下側に面する表面よりも小さく寸法取りされている、［ＡＡＡ］に記載の密封可能な容器。
【０２０４】
［ＢＢＢ］カラーが、上部分を強化する略丸い外側に突出した長い壁と、副カラー空間を画定するように協働する内側の短い壁とを有する略Ｊ字状の横断面を有する、［ＡＡＡ］に記載の密封可能な容器。
【０２０５】
［ＣＣＣ］短い壁が、副カラー空間から内部空間を密封するように開口を画定する上側部分の内端縁と協働する、［ＢＢＢ］に記載の密封可能な容器。
【０２０６】
さらに、上側部分に形成され且つ内端縁まで延在している密封フランジと、短い壁から突出し且つ副カラー空間から内部空間を密封するように密封フランジに協働可能に寄りかかるように寸法決めされている柔軟性のあるガスケットとを備える、［ＣＣＣ］に記載の密封可能な容器。
【０２０７】
壁が、さらに、略立方形の形状を有するように容器を画定しており、複数の窪み及び複数の間隔をあけて配置された屈曲クリップが、さらに、カラーが上側部分上に嵌合された場合に密封可能な容器の剛性及び構造上の安定性を高めるように、対間を連結する力を形成するように反対側の面する壁にわたって対とされるように配置されている、［ＡＡＡ］に記載の密封可能な容器。
【０２０８】
複数の窪み及び複数の間隔をあけて配置された屈曲クリップが、さらに、カラーと壁の上側部分との間における位置合わせ能力を形成するように、反対側の面する窪み及び複数のクリップと対とされるように配置されている、［ＡＡＡ］に記載の密封可能な容器。
【０２０９】
複数の屈曲クリップのそれぞれが、少なくとも１つの強化リブを組み込んでいる、［ＡＡＡ］に記載の密封可能な容器。
【０２１０】
［ＤＤＤ］内部空間に対する開口を画定する内端縁を有する密封フランジを画定する壁の上端部の近くの上側部分と、閉塞位置の場合に開口を被覆して密封するように構成された内面を有する取り外し可能な蓋と、密封フランジに対して着脱自在に配置されるように寸法取りされ、（ａ）カラーの内面、（ｂ）壁の内面、及び、（ｃ）蓋の密封壁を含む群の表面から担持された柔軟性のあるガスケットとを備え、蓋が、その表面に従属して密封フランジの方に突出しており且つ閉塞位置の場合に密封フランジの内側に残るように寸法取りされた密封壁を有し、蓋が閉塞位置にある場合に、密封壁が密封フランジの内端縁に対して柔軟性のあるガスケットを付勢して容器内部から副カラー空間を密封するように、ガスケット、密封壁、及び、密封フランジが寸法取りされている、［ＡＡＡ］に記載の密封可能な容器。
【０２１１】
ガスケットが、密封フランジの内端縁に対して付勢され且つ内端縁を越えて延在する方向にカラーの内面から担持されている、［ＤＤＤ］に記載の密封可能な容器。
【０２１２】
ガスケットが、蓋が開封位置にある場合に密封フランジに対して付勢されたままとするように配置されている、［ＤＤＤ］に記載の密封可能な容器。
【０２１３】
さらに、開口を横切って延在し且つ柔軟性のあるガスケットの下方において密封フランジに取り付いている取り外し可能なシールを備え、柔軟性のあるガスケットが、取り外し可能なシールを取り外すことを可能とするように屈曲し、その後に、密封フランジに寄りかかるように元に屈曲する、［ＤＤＤ］に記載の密封可能な容器。
【０２１４】
［ＥＥＥ］壁の上端部の近くの上側部分が、内部空間に対する開口を画定する内端縁を有する密封フランジを画定しており、カラーが、内側且つ密封フランジに対して付勢される方向に突出する一体的なガスケットを有し、容器が、さらに、着脱自在にカラーに取り付けられ且つ閉塞位置の場合に開口を被覆して密封するように構成された内面を有する蓋を備え、蓋が、その表面に従属して密封フランジの方に突出しており且つ閉塞位置の場合に密封フランジの内側に残るように寸法取りされた密封壁を有する、［ＡＡＡ］に記載の密封可能な容器。
【０２１５】
一体的なガスケットが、密封フランジの内端縁に対して付勢され且つ内端縁を越えて延在する方向にカラーの内面から担持されている、［ＥＥＥ］に記載の密封可能な容器。
【０２１６】
さらに、開口を横切って延在し且つ一体的なガスケットの下方において密封フランジに取り付いている取り外し可能なシールを備え、一体的なガスケットが、取り外し可能なシールを取り外すことを可能とするように屈曲し、その後に、密封フランジに寄りかかるように元に屈曲する、［ＥＥＥ］に記載の密封可能な容器。
【０２１７】
［ＦＦＦ］蓋が、さらに、密封壁よりも小さい寸法の略ドーム状の中央部分を組み込んでおり、ドーム状の中央部分から下方に密封壁に近接する内面まで先細りしている角をなす壁によって蓋に接合されている、［ＥＥＥ］に記載の密封可能な容器。
【０２１８】
角をなす壁が、約２０°から約６０°の垂直方向に対する角度を有する、［ＦＦＦ］に記載の密封可能な容器。
【０２１９】
内容物を有する向きが乱れた容器を元に戻すときに、角をなす壁及び密封壁が、容器の内部空間内に下方に蓋の内面に接触して固められた内容物を導いて副カラー空間内に侵入することを略防止するように協働する、［ＦＦＦ］に記載の密封可能な容器。
【０２２０】
［ＪＪＪ］内面及び外面と内部空間とを画定し、内部空間に対する開口を画定する密封フランジを有する上側部分を有する壁と、上側部分と上側部分まわりで嵌合するように構成された内面を有する密封フランジとから形成されたカラーアセンブリと、カラーアセンブリに取り付けられており、開閉位置間において回動可能であり且つ閉塞位置の場合に容器を密封するように回動可能である取り外し可能な蓋とを備える、密封可能な容器。
【０２２１】
さらに、カラーアセンブリの内面に形成された、内側に突出した位置合わせフィンを備え、位置合わせフィンが、上側部分まわりでひとたび嵌合された場合に且つ嵌合されると、カラーアセンブリを略位置合わせするように構成されている、［ＪＪＪ］に記載の密封可能な容器。
【０２２２】
さらに、蓋の内面から突出した掬い匙ホルダーを備え、掬い匙ホルダーが、カバー及び拘束具を有するブラケットを有し、ボウルから延在している取っ手を有する掬い匙を着脱自在に保持するように構成されており、掬い匙が掬い匙ホルダー内に保持されている場合に、移動を防止するように拘束具が取っ手を捕捉し、内容物がボウルに侵入することを防止するようにカバーがボウルを密封する、［ＪＪＪ］に記載の密封可能な容器。
【０２２３】
さらに、密封フランジに添着され且つ内部空間を密封するように内部空間内に開口を被覆する取り外し可能なシールを備える、［ＪＪＪ］に記載の密封可能な容器。
【０２２４】
本発明の概要において記載され且つ詳細な説明において記載されたような密封可能な容器。
【０２２５】
本発明の図面に図示されたような密封可能な容器。
【０２２６】
本発明の他の態様は、以下のとおりである。
【０２２７】
［ＡＡＡＡ］容器の内部及び外部を画定し且つ上記内部に対する開口を画定する外面及びその上端部を有し且つ底面を接合している壁と、内面及び外面と内部空間とを画定し且つ内部空間に対する開口を画定する壁の上端部の近くに上側部分を有し且つ底面を接合している壁と、閉塞位置の場合に開口を被覆して密封するように構成された内面を有する取り外し可能な蓋とを備え、底面が、表面を置くための外側の平面部と、蹴上げ及び踏み部を有する複数のステップにおいて内部空間の方に向けられた中央隆起補強部とを備え、蹴上げ部が、外側の平面部に対して略上側方向に突出しており、踏み部が、外側の平面部に略平行である、密封可能な容器。
【０２２８】
さらに、上側部分に添着されて内部空間を密封する取り外し可能なシールを備え、容器が閉塞されて第１の圧力で密封された後に、複数のステップのうちの少なくとも１つが、外側の平面部を越えて延在することなく外側の平面部の方に潰れることによって等しくない圧力を補償するのにともない、容器に対する外部の圧力が第１の圧力未満に低減された場合にシールの破裂が防止される、［ＡＡＡＡ］に記載の密封可能な容器。
【０２２９】
さらに、上側部分に添着されて内部空間を密封する取り外し可能なシールを備え、容器が閉塞されて１つの圧力で密封された後に、複数のステップのうちの少なくとも１つが、積み上げ間隙を保持しながら外側の平面部の方に屈曲することによって等しくない圧力を補償するのにともない、容器に対する外部の圧力が１つの圧力よりも低い場合にシールの破裂が防止される、［ＡＡＡＡ］に記載の密封可能な容器。
【０２３０】
容器が閉塞されて１つの圧力で密封された後に、底壁の膨張が、容器に対する外部の圧力が１つの圧力よりも低い場合に、圧力差に抵抗する厚みを有して寸法決めされた複数のステップのうちの少なくとも１つによって防止される、［ＡＡＡＡ］に記載の密封可能な容器。
【０２３１】
複数のステップの蹴上げ及び踏み部のうちの少なくとも１つが、圧力差に応答する柔軟性を可能とする、複数の他の厚みに対して縮小した厚みを有する、［ＡＡＡＡ］に記載の密封可能な容器。
【０２３２】
複数のステップの蹴上げ及び踏み部のうちの少なくとも１つが、圧力差に応答する柔軟性を形成するベローズ構成を有するように形成されている、［ＡＡＡＡ］に記載の密封可能な容器。
【０２３３】
壁が、特定の横断面幾何形状を有する接点を画定するように互いに接合しており且つ底面を接合しており、容器の内部空間から内容物を取り除くための掬い匙が、壁間及び容器の壁と底面との間における接点の特定の横断面幾何形状に略合致するように構成された横断面幾何形状を有するリムを有するボウルを含む、［ＡＡＡＡ］に記載の密封可能な容器。
【図１】
2010514638.tif 000003
【図２】
2010514638.tif 000004
【図３】
2010514638.tif 000005
【図４】
2010514638.tif 000006
【図５】
2010514638.tif 000007
【図６】
2010514638.tif 000008
【図７】
2010514638.tif 000009
【図８】
2010514638.tif 000010
【図９】
2010514638.tif 000011
【図１０】
2010514638.tif 000012
【図１１】
2010514638.tif 000013
【図１２】
2010514638.tif 000014
【図１３】
2010514638.tif 000015
【図１４】
2010514638.tif 000016
【図１５】
2010514638.tif 000017
【図１６】
2010514638.tif 000018
【図１７】
2010514638.tif 000019
【図１８】
2010514638.tif 000020
【図１９】
2010514638.tif 000021
【図２０】
2010514638.tif 000022
【図２１】
2010514638.tif 000023
【図２２】
2010514638.tif 000024
【図２３】
2010514638.tif 000025
【図２４】
2010514638.tif 000026
【図２５】
2010514638.tif 000027
【図２６】
2010514638.tif 000028
【図２７】
2010514638.tif 000029
【図２８】
2010514638.tif 000030
【図２９】
2010514638.tif 000031
【図３０】
2010514638.tif 000032
【図３１】
2010514638.tif 000033
【図３２】
2010514638.tif 000034
【図３３】
2010514638.tif 000035
【図３４】
2010514638.tif 000036
【図３５】
2010514638.tif 000037
【図３６】
2010514638.tif 000038
【図３７】
2010514638.tif 000039
【図３８ａ】
2010514638.tif 000040
【図３８ｂ】
2010514638.tif 000041
【図３９ａ】
2010514638.tif 000042
【図３９ｂ】
2010514638.tif 000043
【国際調査報告】
2010514638.tif 000044